(57)【要約】  本発明の実施例は、サイドリンクデータ伝送のための方法を提案し、スケジューリング端末は、送信端末に第１物理制御シグナリングを送信することと、スケジューリング端末は、前記送信端末に前記第１種類のシステム情報を送信することと、を含み、前記第１物理制御シグナリングが、第１種類のシステム情報を伝送するための第１伝送リソースを含み、前記第１種類のシステム情報が、サイドリンクリソースプール情報を含み、前記サイドリンクリソースプール情報が、前記送信端末が受信端末とサイドリンク伝送を行うために用いられる。本発明の実施例において、スケジューリング端末は、送信端末にＳｉｄｅｌｉｎｋ伝送リソースを設定することができ、Ｄ２ＤとＶ２Ｖ通信の成功率を向上させ、遅延を低減し、Ｄ２ＤとＶ２Ｖ通信のキャパシティを拡大することができる。
2019507532.tif 000002
【特許請求の範囲】
【請求項１】
サイドリンクデータ伝送のための方法であって、
スケジューリング端末が、送信端末に第１物理制御シグナリングを送信することと、
前記スケジューリング端末が、前記送信端末に第１種類のシステム情報を送信することと、
を含み、前記第１物理制御シグナリングが、前記第１種類のシステム情報を伝送するための第１伝送リソースを含み、前記第１種類のシステム情報は、サイドリンクリソースプール情報を含む、
ことを特徴とする前記サイドリンクデータ伝送のための方法。
【請求項２】
前記送信端末に第１物理制御シグナリングを送信する前に、
前記送信端末に第２種類のシステム情報を送信することをさらに含み、
前記送信端末が第２伝送リソースに基づいて、前記第１物理制御シグナリングを受信することができるように、前記第２種類のシステム情報が、前記第２伝送リソースを含む、
ことを特徴とする請求項１に記載のサイドリンクデータ伝送のための方法。
【請求項３】
前記送信端末より送信されたサイドリンクリソーススケジューリング要求と前記送信端末のサイドリンクバッファー状態報告とを受信することと、
前記サイドリンクリソーススケジューリング要求に基づいて、前記送信端末にサイドリンクリソース割り当て情報を送信することと、
をさらに含む、
ことを特徴とする請求項１又は２に記載のサイドリンクデータ伝送のための方法。
【請求項４】
前記送信端末より送信されたサイドリンクリソーススケジューリング要求と前記送信端末のサイドリンクバッファー状態報告とを受信することは、
前記送信端末より送信された第２物理制御シグナリングを受信することと、
前記送信端末より送信された第１種類の高レイヤ制御シグナリングを受信することと、を含み、
前記第２物理制御シグナリングが、前記サイドリンクリソーススケジューリング要求を含み、前記第１種類の高レイヤ制御シグナリングが、前記送信端末のサイドリンクバッファー状態報告を含む、
ことを特徴とする請求項３に記載のサイドリンクデータ伝送のための方法。
【請求項５】
前記送信端末より送信されたサイドリンクリソーススケジューリング要求と前記送信端末のサイドリンクバッファー状態報告とを受信する前に、
前記送信端末と既に成功に接続を確立していることを確定することと、
前記送信端末に第２種類の高レイヤ制御シグナリングを送信することと、
を含み、
ここで、前記サイドリンクリソーススケジューリング要求と前記送信端末のサイドリンクバッファー状態報告とは、前記送信端末が前記送信端末のＩＤを含む前記第２種類の高レイヤ制御シグナリングを受信した後に送信されたものであり、
前記第２種類の高レイヤ制御シグナリングが、前記送信端末の識別子ＩＤを含む、
ことを特徴とする請求項３又は４に記載のサイドリンクデータ伝送のための方法。
【請求項６】
前記送信端末と既に成功に接続を確立していることを確定する前に、
前記送信端末と接続を確立する過程を実施することをさらに含む、
ことを特徴とする請求項５に記載のサイドリンクデータ伝送のための方法。
【請求項７】
前記送信端末と接続を確立することは、
前記送信端末に第３種類のシステム情報を送信することと、
前記送信端末より送信されたアクセスチャネルを受信することと、
アクセスプリアンブル信号に基づいて、前記送信端末との間の伝送遅延を確定することと、
前記送信端末に第３物理制御シグナリングを送信することと、
前記送信端末に第３種類の高レイヤ制御シグナリングを送信することと、
前記送信端末より送信された第４種類の高レイヤ制御シグナリングを受信することと、
前記送信端末と成功に接続を確立したか否かを判断することと、
を含み、
前記第３種類のシステム情報が、前記アクセスチャネルのリソース構成情報を含み、前記アクセスチャネルが、前記アクセスプリアンブル信号を含み、前記第３物理制御シグナリングが、フィードバックリソース構成情報を含み、前記第３種類の高レイヤ制御シグナリングが、第３伝送リソース構成情報と、前記伝送遅延に基づくクロック調整命令とを含み、前記第４種類の高レイヤ制御シグナリングが前記送信端末のＩＤを含み、
ここで、前記フィードバックリソース構成情報は、前記送信端末が前記フィードバックリソースにおいて前記第３種類の高レイヤ制御シグナリングを受信するために用いられ、前記第４種類の高レイヤ制御シグナリングは、前記送信端末が前記クロック調整命令に基づいてクロックを調整した後に、前記第３伝送リソースにおいて送信されるものである、
ことを特徴とする請求項６に記載のサイドリンクデータ伝送のための方法。
【請求項８】
前記アクセスチャネルの占用する周波数ドメイン位置は、サイドリンク伝送帯域幅の両端に位置する、
ことを特徴とする請求項７に記載のサイドリンクデータ伝送のための方法。
【請求項９】
前記送信端末に第１物理制御シグナリングを送信する前に、
前記送信端末に同期信号を送信することをさらに含み、
前記同期信号が、前記スケジューリング端末の送信クロック、及び前記スケジューリング端末の識別子ＩＤを含む、
ことを特徴とする請求項１〜８のいずれか１項に記載のサイドリンクデータ伝送のための方法。
【請求項１０】
前記同期信号の占用する周波数ドメイン位置は、サイドリンク伝送帯域幅の中央に位置する、
ことを特徴とする請求項９に記載のサイドリンクデータ伝送のための方法。
【請求項１１】
前記同期信号は、同期シーケンスにより構成される、
ことを特徴とする請求項９又は１０に記載のサイドリンクデータ伝送のための方法。
【請求項１２】
サイドリンクデータ伝送のための方法であって、
送信端末が、スケジューリング端末より送信されたサイドリンクリソースの指示情報を受信することと、
前記送信端末が、前記サイドリンクリソースの指示情報に基づいて、サイドリンクデータを伝送するための第１伝送リソースと伝送パラメータとを確定することと、
前記送信端末が、前記第１伝送リソースと前記伝送パラメータとを使用し、受信端末に前記サイドリンクデータを送信することと、
を含む、
ことを特徴とする前記サイドリンクデータ伝送のための方法。
【請求項１３】
前記受信端末に前記サイドリンクデータを送信する前に、
前記受信端末に第１物理制御シグナリングを送信することをさらに含み、
前記第１物理制御シグナリングが、前記第１伝送リソースと前記伝送パラメータとを含む、
ことを特徴とする請求項１２に記載のサイドリンクデータ伝送のための方法。
【請求項１４】
前記サイドリンクリソースの指示情報は、サイドリンクリソースプール情報を含み、
前記サイドリンクリソースの指示情報に基づいて、サイドリンクデータを伝送するための第１伝送リソースと伝送パラメータとを確定することは、
前記サイドリンクリソースプール情報から、前記サイドリンクデータを伝送するための前記第１伝送リソースと前記伝送パラメータとを自ら選択することを含む、
ことを特徴とする請求項１２又は１３に記載のサイドリンクデータ伝送のための方法。
【請求項１５】
前記スケジューリング端末より送信されたサイドリンクリソースの指示情報を受信する前に、前記スケジューリング端末より送信された第２伝送リソース構成情報を受信することをさらに含み、
前記スケジューリング端末より送信されたサイドリンクリソースの指示情報を受信することは、前記第２伝送リソース構成情報に基づいて、前記スケジューリング端末より送信された第１種類のシステム情報を受信することを含み、前記第１種類のシステム情報が、前記サイドリンクリソースプール情報を含む、
ことを特徴とする請求項１４に記載のサイドリンクデータ伝送のための方法。
【請求項１６】
前記スケジューリング端末より送信された第２伝送リソース構成情報を受信することは、
前記スケジューリング端末より送信された第２種類のシステム情報を受信することと、
第３伝送リソース構成情報に基づいて、前記スケジューリング端末より送信された第２物理制御シグナリングを受信することと、
を含み、
前記第２種類のシステム情報が前記第３伝送リソース構成情報を含み、前記第２物理制御シグナリングが前記第２伝送リソース構成情報を含む、
ことを特徴とする請求項１５に記載のサイドリンクデータ伝送のための方法。
【請求項１７】
前記サイドリンクリソースの指示情報は、サイドリンクリソース割り当て情報を含み、
前記スケジューリング端末より送信されたサイドリンクリソースの指示情報を受信する前に、
前記スケジューリング端末に、サイドリンクリソーススケジューリング要求と、前記送信端末のサイドリンクバッファー状態報告とを送信することをさらに含む、
ことを特徴とする請求項１２又は１３に記載のサイドリンクデータ伝送のための方法。
【請求項１８】
前記スケジューリング端末に、サイドリンクリソーススケジューリング要求と前記スケジューリング端末のサイドリンクバッファー状態報告とを送信することは、
前記スケジューリング端末に第３物理制御シグナリングを送信することと、
前記スケジューリング端末に第１種類の高レイヤ制御シグナリングを送信することと、
を含み、
前記第３物理制御シグナリングが、前記サイドリンクリソーススケジューリング要求を含み、前記第１種類の高レイヤ制御シグナリングが、前記送信端末のサイドリンクバッファー状態報告を含む、
ことを特徴とする請求項１７に記載のサイドリンクデータ伝送のための方法。
【請求項１９】
前記スケジューリング端末に、サイドリンクリソーススケジューリング要求と、前記送信端末のサイドリンクバッファー状態報告とを送信する前に、
前記スケジューリング端末より送信された第２種類の高レイヤ制御シグナリングを受信することをさらに含み、
前記第２種類の高レイヤ制御シグナリングが、既に成功に接続を確立している指示情報と、第４伝送リソース構成情報とを含み、ここで前記指示情報が、前記スケジューリング端末が前記送信端末と既に成功に接続を確立していることを示すために用いられ、
前記スケジューリング端末に、サイドリンクリソーススケジューリング要求と、前記送信端末のサイドリンクバッファー状態報告とを送信することは、
成功に接続を確立したことを確定した後に、前記第４伝送リソース構成情報に基づいて、前記スケジューリング端末に、サイドリンクリソーススケジューリング要求と、前記送信端末のサイドリンクバッファー状態報告とを送信することを含む、
ことを特徴とする請求項１７又は１８に記載のサイドリンクデータ伝送のための方法。
【請求項２０】
前記スケジューリング端末より送信された第２種類の高レイヤ制御シグナリングを受信する前に、
前記スケジューリング端末と接続を確立する過程を実施することをさらに含む、
ことを特徴とする請求項１９に記載のサイドリンクデータ伝送のための方法。
【請求項２１】
前記スケジューリング端末と接続を確立する過程は、
前記スケジューリング端末より送信された第３種類のシステム情報を受信することと、
アクセスチャネルのリソース構成情報に基づいて、前記スケジューリング端末にアクセスチャネルを送信することと、
前記スケジューリング端末より送信された第４物理制御シグナリングを受信することと、
フィードバックリソース構成情報に基づいて、前記スケジューリング端末より送信された第３種類の高レイヤ制御シグナリングを受信することと、
クロック調整命令に基づいて、前記送信端末のクロックに対して調整を行うことと、
第５伝送リソース構成情報に基づいて、前記スケジューリング端末に第４種類の高レイヤ制御シグナリングを送信することと、
を含み、
前記第３種類のシステム情報が、前記アクセスチャネルのリソース構成情報を含み、前記アクセスチャネルが、アクセスプリアンブル信号を含み、前記第４物理制御シグナリングが、フィードバックリソース構成情報を含み、前記第３種類の高レイヤ制御シグナリングが、第５伝送リソース構成情報とクロック調整命令とを含み、前記第４種類の高レイヤ制御シグナリングが、前記送信端末の端末識別子ＩＤを含む、
ことを特徴とする請求項２０に記載のサイドリンクデータ伝送のための方法。
【請求項２２】
前記アクセスチャネルの占用する周波数ドメイン位置は、サイドリンク伝送帯域幅の両端に位置する、
ことを特徴とする請求項２１に記載のサイドリンクデータ伝送のための方法。
【請求項２３】
前記スケジューリング端末より送信されたサイドリンクリソースの指示情報を受信する前に、
前記スケジューリング端末より送信された第２種類のシステム情報を受信することをさらに含み、前記第２種類のシステム情報が第３伝送リソース構成情報を含み、
前記スケジューリング端末より送信された第３種類のシステム情報を受信することは、
前記第３伝送リソース構成情報に基づいて、前記スケジューリング端末より送信された前記第３種類のシステム情報を受信することを含む、
ことを特徴とする請求項２１又は２２に記載のサイドリンクデータ伝送のための方法。
【請求項２４】
前記第２種類のシステム情報は、前記スケジューリング端末が基地局のカバレッジ範囲内にあるか否かに関する情報と、前記スケジューリング端末のシステム構成パラメータとをさらに含み、
ここで、前記システム構成パラメータは、送信帯域幅及び／又はマルチアンテナ構成を含む、
ことを特徴とする請求項１６又は２３に記載のサイドリンクデータ伝送のための方法。
【請求項２５】
前記スケジューリング端末より送信されたサイドリンクリソースの  指示情報を受信する前に、
前記受信端末に第４種類のシステム情報を送信することをさらに含み、
前記第４種類のシステム情報は、前記送信端末が基地局のカバレッジ範囲内にあるか否かに関する指示情報、前記送信端末が前記スケジューリング端末のカバレッジ範囲内にあるか否かに関する指示情報、及び前記送信端末の送信帯域幅を含む、
ことを特徴とする請求項１２〜２４のいずれか１項に記載のサイドリンクデータ伝送のための方法。
【請求項２６】
前記第２種類のシステム情報と前記第４種類のシステム情報とは、異なるサイドリンク時間ドメイン伝送リソースを占用し、時分割多重化されるものであり、
又は、
前記第２種類のシステム情報と前記第４種類のシステム情報とは、同じのサイドリンク伝送リソースを占用し、符号分割多重化されるものである、
ことを特徴とする請求項２５に記載のサイドリンクデータ伝送のための方法。
【請求項２７】
前記スケジューリング端末より送信されたサイドリンクリソースの指示情報を受信する前に、
前記スケジューリング端末より送信された第１種類の同期信号を受信することと、
前記受信端末に第２種類の同期信号を送信することと、
をさらに含み、
前記第１種類の同期信号が、前記スケジューリング端末の送信クロックを含み、前記第２種類の同期信号が、前記送信端末の送信クロックを含む、
ことを特徴とする請求項１２〜２６のいずれか１項に記載のサイドリンクデータ伝送のための方法。
【請求項２８】
前記第１種類の同期信号は、前記スケジューリング端末の識別子ＩＤをさらに含む、
ことを特徴とする請求項２７に記載のサイドリンクデータ伝送のための方法。
【請求項２９】
前記第１種類の同期信号と前記第２種類の同期信号とは、異なるサイドリンク時間ドメイン伝送リソースを占用し、時分割多重化されるものであり、
又は、
前記第１種類の同期信号と前記第２種類の同期信号とは、同じのサイドリンク伝送リソースを占用し、符号分割多重化されるものである、
ことを特徴とする請求項２７又は２８に記載のサイドリンクデータ伝送のための方法。
【請求項３０】
端末であって、前記端末は、サイドリンクデータ伝送ためのスケジューリング端末であり、
送信端末に第１物理制御シグナリングを送信するように構成される送信ユニットを含み、前記第１物理制御シグナリングが、第１種類のシステム情報を伝送するための第１伝送リソースを含み、
前記送信ユニットは、前記送信端末に前記第１種類のシステム情報を送信するようにさらに構成され、前記第１種類のシステム情報が、サイドリンクリソースプール情報を含む、
ことを特徴とする前記端末。
【請求項３１】
前記送信ユニットは、
前記送信端末に第２種類のシステム情報を送信するようにさらに構成され、前記送信端末が前記第２伝送リソースに基づいて、前記第１物理制御シグナリングを受信することができるように、前記第２種類のシステム情報が、第２伝送リソースを含む、
ことを特徴とする請求項３０に記載の端末。
【請求項３２】
受信ユニットをさらに含み、
前記受信ユニットは、前記送信端末より送信されたサイドリンクリソーススケジューリング要求と前記送信端末のサイドリンクバッファー状態報告とを受信するように構成され、
前記送信ユニットは、具体的に、前記サイドリンクリソーススケジューリング要求に基づいて、前記送信端末にサイドリンクリソース割り当て情報を送信するように構成される、
ことを特徴とする請求項３０又は３１に記載の端末。
【請求項３３】
前記受信ユニットは、具体的に、
前記送信端末より送信された第２物理制御シグナリングを受信し、
前記送信端末より送信された第１種類の高レイヤ制御シグナリングを受信するように構成され、
前記第２物理制御シグナリングが、前記サイドリンクリソーススケジューリング要求を含み、前記第１種類の高レイヤ制御シグナリングは、前記送信端末のサイドリンクバッファー状態報告を含む、
ことを特徴とする請求項３２に記載の端末。
【請求項３４】
処理ユニットをさらに含み、
前記処理ユニットは、前記送信端末と既に成功に接続を確立していることを確定するように構成され、
前記送信ユニットは、前記送信端末に第２種類の高レイヤ制御シグナリングを送信するようにさらに構成され、前記第２種類の高レイヤ制御シグナリングが、前記送信端末の識別子ＩＤを含み、
ここで、前記サイドリンクリソーススケジューリング要求と前記送信端末のサイドリンクバッファー状態報告とは、前記送信端末が前記送信端末のＩＤを含む前記第２種類の高レイヤ制御シグナリングを受信した後に送信されたものである、
ことを特徴とする請求項３２又は３３に記載の端末。
【請求項３５】
前記処理ユニットは、
前記送信端末と接続を確立する過程を実施するようにさらに構成される、
ことを特徴とする請求項３４に記載の端末。
【請求項３６】
前記送信ユニットは、前記送信端末に第３種類のシステム情報を送信するようにさらに構成され、前記第３種類のシステム情報が、アクセスチャネルのリソース構成情報を含み、
前記受信ユニットは、前記送信端末より送信されたアクセスチャネルを受信するようにさらに構成され、前記アクセスチャネルが、アクセスプリアンブル信号を含み、
前記処理ユニットは、前記アクセスプリアンブル信号に基づいて、前記送信端末との間の伝送遅延を確定するようにさらに構成され、
前記送信ユニットは、前記送信端末に第３物理制御シグナリングを送信するようにさらに構成され、前記第３物理制御シグナリングが、フィードバックリソース構成情報を含み、
前記送信ユニットは、前記送信端末に第３種類の高レイヤ制御シグナリングを送信するようにさらに構成され、前記第３種類の高レイヤ制御シグナリングが、第３伝送リソース構成情報と、前記伝送遅延に基づくクロック調整命令とを含み、
前記受信ユニットは、前記送信端末より送信された第４種類の高レイヤ制御シグナリングを受信するようにさらに構成され、前記第４種類の高レイヤ制御シグナリングが前記送信端末のＩＤを含み、
前記処理ユニットは、前記送信端末と成功に接続を確立したか否かを判断するようにさらに構成され、
ここで、前記フィードバックリソース構成情報が、前記送信端末が前記フィードバックリソースにおいて前記第３種類の高レイヤ制御シグナリングを受信するために用いられ、前記第４種類の高レイヤ制御シグナリングが、前記送信端末が前記クロック調整命令に基づいてクロックを調整した後に、前記第３伝送リソースにおいて送信されるものである、
ことを特徴とする請求項３５に記載の端末。
【請求項３７】
前記アクセスチャネルの占用する周波数ドメイン位置は、サイドリンク伝送帯域幅の両端に位置する、
ことを特徴とする請求項３６に記載の端末。
【請求項３８】
前記送信ユニットは、前記送信端末に同期信号を送信するようにさらに構成され、前記同期信号が、前記スケジューリング端末の送信クロック、及び前記スケジューリング端末の識別子ＩＤとを含む、
ことを特徴とする請求項３０〜３７のいずれか１項に記載の端末。
【請求項３９】
前記同期信号の占用する周波数ドメイン位置は、サイドリンク伝送帯域幅の中央に位置する、
ことを特徴とする請求項３８に記載の端末。
【請求項４０】
前記同期信号は、同期シーケンスにより構成される、
ことを特徴とする請求項３８又は３９に記載の端末。
【請求項４１】
端末であって、前記端末は、サイドリンクデータ伝送のための送信端末であり、
スケジューリング端末より送信されたサイドリンクリソースの指示情報を受信するように構成される受信ユニットと、
前記サイドリンクリソースの指示情報に基づいて、サイドリンクデータを伝送するための第１伝送リソースと伝送パラメータとを確定するように構成される処理ユニットと、
前記第１伝送リソースと前記伝送パラメータとを使用し、受信端末に前記サイドリンクデータを送信する送信ユニットと、
を含むことを特徴とする前記端末。
【請求項４２】
前記送信ユニットは、
前記受信端末に第１物理制御シグナリングを送信するようにさらに構成され、前記第１物理制御シグナリングが、前記第１伝送リソースと前記伝送パラメータとを含む、
ことを特徴とする請求項４１に記載の端末。
【請求項４３】
サイドリンクリソースの指示情報は、サイドリンクリソースプール情報を含み、前記処理ユニットは、具体的に、
前記サイドリンクリソースプール情報から、前記サイドリンクデータを伝送するための前記第１伝送リソースと前記伝送パラメータとを自ら選択するように構成される、
ことを特徴とする請求項４１又は４２に記載の端末。
【請求項４４】
前記スケジューリング端末より送信されたサイドリンクリソースプール情報を受信する前に、
前記受信ユニットは、前記スケジューリング端末より送信された第２伝送リソース構成情報を受信するようにさらに構成され、
前記受信ユニットは、具体的に、前記第２伝送リソース構成情報に基づいて、前記スケジューリング端末より送信された第１種類のシステム情報を受信するように構成され、前記第１種類のシステム情報が、前記サイドリンクリソースプール情報を含む、
ことを特徴とする請求項４３に記載の端末。
【請求項４５】
前記受信ユニットは、具体的に、
前記スケジューリング端末より送信された第２種類のシステム情報を受信し、
第３伝送リソース構成情報に基づいて、前記スケジューリング端末より送信された第２物理制御シグナリングを受信するように構成され、
前記第２種類のシステム情報が第３伝送リソース構成情報を含み、前記第２物理制御シグナリングが、前記第２伝送リソース構成情報を含む、
ことを特徴とする請求項４４に記載の端末。
【請求項４６】
前記サイドリンクリソースの指示情報は、サイドリンクリソース割り当て情報を含み、前記送信ユニットは、
前記スケジューリング端末に、サイドリンクリソーススケジューリング要求と、前記送信端末のサイドリンクバッファー状態報告とを送信するようにさらに構成される、
ことを特徴とする請求項４１又は４２に記載の端末。
【請求項４７】
前記送信ユニットは、具体的に、
前記スケジューリング端末に第３物理制御シグナリングを送信し、
前記スケジューリング端末に第１種類の高レイヤ制御シグナリングを送信するように構成される、
前記第３物理制御シグナリングが、前記サイドリンクリソーススケジューリング要求を含み、前記第１種類の高レイヤ制御シグナリングが、前記送信端末のサイドリンクバッファー状態報告を含む、
ことを特徴とする請求項４６に記載の端末。
【請求項４８】
前記受信ユニットは、前記スケジューリング端末より送信された第２種類の高レイヤ制御シグナリングを受信するようにさらに構成され、前記第２種類の高レイヤ制御シグナリングが、既に成功に接続を確立している指示情報と、第４伝送リソース構成情報とを含み、ここで、前記指示情報が、前記スケジューリング端末が前記送信端末と既に成功に接続を確立していることを示すために用いられ、
前記送信ユニットは、具体的に、成功に接続を確立したことを確定した後に、前記第４伝送リソース構成情報に基づいて、前記スケジューリング端末に、サイドリンクリソーススケジューリング要求と、前記送信端末のサイドリンクバッファー状態報告とを送信するように構成される、
ことを特徴とする請求項４６又は４７に記載の端末。
【請求項４９】
前記処理ユニットは、
前記スケジューリング端末と接続を確立する過程を実施するようにさらに構成される、
ことを特徴とする請求項４８に記載の端末。
【請求項５０】
前記受信ユニットは、前記スケジューリング端末より送信された第３種類のシステム情報を受信するようにさらに構成され、前記第３種類のシステム情報が、アクセスチャネルのリソース構成情報を含み、
前記送信ユニットは、前記アクセスチャネルのリソース構成情報に基づいて、前記スケジューリング端末にアクセスチャネルを送信するようにさらに構成され、前記アクセスチャネルが、アクセスプリアンブル信号を含み、
前記受信ユニットは、前記スケジューリング端末より送信された第４物理制御シグナリングを受信するようにさらに構成され、前記第４物理制御シグナリングが、フィードバックリソース構成情報を含み、
前記受信ユニットは、前記フィードバックリソース構成情報に基づいて、前記スケジューリング端末より送信された第３種類の高レイヤ制御シグナリングを受信するようにさらに構成され、前記第３種類の高レイヤ制御シグナリングは、第５伝送リソース構成情報と、クロック調整命令とを含み、
前記処理ユニットは、前記クロック調整命令に基づいて、前記送信端末のクロックに対して調整を行うようにさらに構成され、
前記送信ユニットは、前記第５伝送リソース構成情報に基づいて、前記スケジューリング端末に第４種類の高レイヤ制御シグナリングを送信するようにさらに構成され、前記第４種類の高レイヤ制御シグナリングが前記送信端末の端末識別子ＩＤを含む、
ことを特徴とする請求項４９に記載の端末。
【請求項５１】
前記アクセスチャネルの占用する周波数ドメイン位置は、サイドリンク伝送帯域幅の両端に位置する、
ことを特徴とする請求項５０に記載の端末。
【請求項５２】
前記受信ユニットは、具体的に、
前記スケジューリング端末より送信された第２種類のシステム情報を受信し、
第３伝送リソース構成情報に基づいて、前記スケジューリング端末より送信された前記第３種類のシステム情報を受信するように構成され、前記第２種類のシステム情報が前記第３伝送リソース構成情報を含む、
ことを特徴とする請求項５０又は５１に記載の端末。
【請求項５３】
前記第２種類のシステム情報は、前記スケジューリング端末が基地局のカバレッジ範囲内にあるか否かに関する情報と、前記スケジューリング端末のシステム構成パラメータと、をさらに含み、
ここで、前記システム構成パラメータは、送信帯域幅及び／又はマルチアンテナ構成を含む、
ことを特徴とする請求項４５又は５２に記載の端末。
【請求項５４】
前記送信ユニットは、
前記受信端末に第４種類のシステム情報を送信するようにさらに構成され、前記第４種類のシステム情報が、前記送信端末が基地局のカバレッジ範囲内にあるか否かに関する指示情報、前記送信端末が前記スケジューリング端末のカバレッジ範囲内にあるか否かに関する指示情報、及び前記送信端末の送信帯域幅を含む、
ことを特徴とする請求項４１〜５３のいずれか１項に記載の端末。
【請求項５５】
前記第２種類のシステム情報と前記第４種類のシステム情報とは、異なるサイドリンク時間ドメイン伝送リソースを占用し、時分割多重化されるものであり、
又は、
前記第２種類のシステム情報と前記第４種類のシステム情報とは、同じのサイドリンク伝送リソースを占用し、符号分割多重化されるものである、
ことを特徴とする請求項５４に記載の端末。
【請求項５６】
前記受信ユニットは、前記スケジューリング端末より送信された第１種類の同期信号を受信するようにさらに構成され、前記第１種類の同期信号が、前記スケジューリング端末の送信クロックを含み、
前記送信ユニットは、前記受信端末に第２種類の同期信号を送信するようにさらに構成され、前記第２種類の同期信号が、前記送信端末の送信クロックを含む、
ことを特徴とする請求項４１〜５５のいずれか１項に記載の端末。
【請求項５７】
前記第１種類の同期信号は、前記スケジューリング端末の識別子ＩＤをさらに含む、
ことを特徴とする請求項５６に記載の端末。
【請求項５８】
前記第１種類の同期信号と前記第２種類の同期信号とは、異なるサイドリンク時間ドメイン伝送リソースを占用し、時分割多重化されるものであり、
又は、
前記第１種類の同期信号と前記第２種類の同期信号とは、同じのサイドリンク伝送リソースを占用し、符号分割多重化されるものである、
ことを特徴とする請求項５６又は５７に記載の端末。
【発明の詳細な説明】
【技術分野】
【０００１】
本発明の実施例は通信分野に関し、特にサイドリンクデータ伝送のための方法及び端末に関する。
【背景技術】
【０００２】
デバイス対デバイス（Ｄ２Ｄ：Ｄｅｖｉｃｅ  ｔｏ  Ｄｅｖｉｃｅ）通信、及び車両対Ｘ（Ｖ２Ｘ：Ｖｅｈｉｃｌｅ  ｔｏ  Ｘ）車車間／路車間通信は、無線通信技術発展の人気分野になっており、その中、Ｖ２Ｘは、車車間（Ｖ２Ｖ：Ｖｅｈｉｃｌｅ  ｔｏ  Ｖｅｈｉｃｌｅ）通信、路車間（Ｖ２Ｉ：Ｖｅｈｉｃｌｅ  ｔｏ  Ｉｎｆｒａｓｔｒｕｃｔｕｒｅ）通信と人車間（Ｖ２Ｐ：Ｖｅｈｉｃｌｅ  ｔｏ  Ｐｅｄｅｓｔｒｉａｎ）通信などを含む。
【０００３】
Ｄ２Ｄ通信は、ソーシャルネットワーク、買い物エンターテインメント、救護救災などの新しいサービスに用いられることが可能である。Ｖ２Ｖ通信は、複数の車載ユニット（ＯＢＵ：Ｏｎ  ｂｏａｒｄ  Ｕｎｉｔ）間の無線通信で、車両の間で車載レーダー、カメラなどのセンサ情報（即ち、Ｓｅｎｓｏｒ  ｓｈａｒｉｎｇ）を共有し、車両の感知範囲を数十メートルの可視範囲から数百メートルの非可視範囲まで拡張し、それによって車両の運転安全を大幅に向上させ、運転補助と自動運転を有効に実現することができる。Ｖ２Ｉ通信は、Ｖ２Ｘシステムのもう１種の通信モードであり、ＯＢＵと路辺ユニット（ＲＳＵ：Ｒｏａｄ  Ｓｉｄｅ  Ｕｎｉｔ）との間の通信に用いられる。ここで、ＲＳＵは、Ｖ２Ｘ端末機能を有するインテリジェンス信号、交通掲示板などのデバイスであり、ＯＢＵにインテリジェンス交通情報を提供することができ、それによってＯＢＵを装着する車両の交通効率を向上させることができる。現在のＶ２Ｘシステムにおいて、Ｖ２Ｖは無線通信においてＶ２Ｉと同様な設計を採用しており、伝送サービスが異なるだけであり、二つのモードは、互いに独立して動作している。
【０００４】
Ｄ２Ｄ通信とＶ２Ｖ通信の直面している主な技術問題は、多数端末間の干渉抑制と輻輳制御問題である。特にＶ２Ｖシステムが数百メートル範囲内で同時に数百車両のセンサ共有情報の送信をサポートしなければならず、同時に非常に低い遅延と高いデータ伝送信頼性を確保する必要があり、そのため、端末間の干渉を有効に抑制することができるＶ２Ｖリソーススケジューリング技術を採用する必要がある。元の電気工学・電子工学技術の学会（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｐ  Ｖ２Ｖ技術は、単純なＡｄ  Ｈｏｃネットワーキングとスケジューリング方式しか採用できず、即ち、Ｄ２Ｄ間、ＯＢＵ端末間の分散型共同に依存し、先に聞き後で話す（ＬＢＴ：Ｌｉｓｔｅｎ−ｂｅｆｏｒｅ−ｔａｌｋ）などの自発的なメカニズムを採用してリソースのスケジューリングを行い、リソースの衝突を避ける。しかし、このようなセンタースケジューリングなしの方式は、効率が低く、端末の数が増加することにつれ、通信の遅延が徐々に大きくなり、伝送の成功率も低下する。
【０００５】
第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）が研究、標準化を図ろうとしているＬＴＥ  Ｖ２Ｘ技術は、ＬＴＥセルラーネットワークの基地局を借りて、Ｖ２Ｖ端末に対してセンタースケジューリング（Ｃｅｎｔｒａｌｉｚｅｄ  ｓｃｈｅｄｕｌｉｎｇ）を行うことができ、Ｖ２Ｖの伝送効率を大幅に向上させ、Ｖ２Ｖの伝送遅延を低減し、伝送成功率を向上させることができる。
【０００６】
このような基地局センタースケジューリングとＡｄ  Ｈｏｃの自発的なスケジューリングと結合するスケジューリング技術は、すでに３ＧＰＰの１２バージョン（Ｒ１２：Ｒｅｌｅａｓｅ  １２）ＬＴＥ  Ｄ２Ｄ（ＬＴＥ端末間に基づく通信）標準で採用されており、それのために、アップリンク（Ｕｐｌｉｎｋ）、ダウンリンク（Ｄｏｗｎｌｉｎｋ）以外にサイドリンク（Ｓｉｄｅｌｉｎｋ）の概念を導入し、Ｓｉｄｅｌｉｎｋは、二つの端末間で直接に通信するリンクであり、Ｄ２Ｄ通信こそは、１種のＳｉｄｅｌｉｎｋ通信である。現在のＬＴＥ  Ｖ２Ｘ技術案は、主にＬＴＥ  Ｄ２Ｄを参照して設計されており、同じくＳｉｄｅｌｉｎｋ通信方式を採用しており、図１に示すように、現行のＶ２Ｖシステムの配備場面を示す図である。
【０００７】
Ｓｉｄｅｌｉｎｋ通信は、一般的にネットワークカバレッジされている（Ｉｎ  Ｃｏｖｅｒａｇｅ）、ネットワークカバレッジされていない（Ｏｕｔ  ｏｆ  Ｃｏｖｅｒａｇｅ）、及び一部にネットワークカバレッジされている（Ｐａｒｔｉａｌ  Ｃｏｖｅｒａｇｅ）という三つの動作場面がある。
【０００８】
Ｉｎ  ｃｏｖｅｒａｇｅ場面（即ち、ＬＴＥ基地局のカバレッジがされている場面）において、まず基地局によってＯＢＵ端末に必要とするＳｉｄｅｌｉｎｋリソースを割り当て、その後、端末は基地局によって割り当てられたリソースを使用してＳｉｄｅｌｉｎｋデータ及びそれの伝送パラメータを伝送する。
【０００９】
Ｐａｒｔｉａｌ  Ｃｏｖｅｒａｇｅ場面（即ち、ＬＴＥ基地局カバレッジが不安定であり、信号が途切れることがある場面）において、基地局は、端末にＳｉｄｅｌｉｎｋリソースをリアルタイム、動的に割り当てることができず、基地局が周期的に一つの準静的なリソースプール（Ｒｅｓｏｕｒｃｅ  ｐｏｏｌ）のシステム情報をブロードキャストし、ＯＢＵ端末がカバレッジされる時にこのリソースプール情報を受信さえできれば、カバレッジが失われる時に、該リソースプールからＳｉｄｅｌｉｎｋリソースをランダムに選択し、Ｓｉｄｅｌｉｎｋデータ及びそれの伝送パラメータを伝送することができる。
【００１０】
Ｏｕｔ  ｏｆ  Ｃｏｖｅｒａｇｅ場面（即ち、完全にＬＴＥ基地局のカバレッジがされていない場面）において、ＯＢＵ端末が基地局システム情報内のリソースプール情報を偶に受信することさえもできない。このような状況において、端末内に静的に記憶されている、予め設定されたリソースプール内からＳｉｄｅｌｉｎｋリソースをランダムに選択して、Ｓｉｄｅｌｉｎｋデータ及びそれの伝送パラメータを伝送するしかない。
【００１１】
しかし、リソースプールからＳｉｄｅｌｉｎｋリソースをランダムに選択してＳｉｄｅｌｉｎｋデータ及びそれの伝送パラメータを送信するのは、Ｄ２Ｄ／ＯＢＵ端末間のリソースの衝突と干渉を避けられず、Ｓｉｄｅｌｉｎｋデータの伝送成功率の低下の起因になる。複数回の再送を採用して伝送の成功率を高めようとした場合、伝送遅延の増大も引き起こされる。高成功率と低遅延とを同時に実現しようとした場合、同一のカバレッジ範囲内においてＳｉｄｅｌｉｎｋ信号を同時に送信する端末の数を制限しなければならず、それによって大きいキャパシティのＤ２Ｄ通信と大きい車両の通行量におけるＶ２Ｖ通信を実現できないことを引き起こされる。
【００１２】
そのため、Ｄ２Ｄ／ＯＢＵ端末間の干渉を減少し、Ｓｉｄｅｌｉｎｋの通信効率を高めようとした場合、できる限りＩｎ  ｃｏｖｅｒａｇｅ場面の比例を高めて、Ｏｕｔ  ｏｆ  ｃｏｖｅｒａｇｅ場面の比例を減少しなければならない。しかし、通信事業者の基地局のカバレッジとキャパシティは、従来タイプの端末（例えば携帯電話）の密度分布に基づいて計画されており、Ｄ２Ｄ／ＯＢＵ端末に対して優れるカバレッジを実現することを保証することができない。さらにひどくになると、通信事業者がコスト問題を考慮し、Ｄ２Ｄ／Ｖ２Ｖサービスがサポートできるように、基地局のアップグレードとネットワークの改善をしようともしない場合、Ｄ２Ｄ／ＯＢＵ端末は、完全にＯｕｔ  ｏｆ  ｃｏｖｅｒａｇｅ場面に陥る恐れがあり、この時、ＬＴＥ  Ｄ２ＤとＬＴＥ  Ｖ２Ｖ技術は、リソースプールのランダムな選択またはＬＢＴ方式を採用するしかならず、それの性能もＩＥＥＥ  ８０２．１１ｐなどのピュアなＡｄ  Ｈｏｃシステムより優れるようになりにくい。
【発明の概要】
【００１３】
本発明の実施例は、サイドリンクデータ伝送のための方法を提供し、基地局のカバレッジ範囲外の端末にサイドリンク伝送リソースを設定することができる。
【００１４】
第１態様において、サイドリンクデータ伝送のための方法を提供し、
スケジューリング端末が、送信端末に第１物理制御シグナリングを送信することと、
前記スケジューリング端末が、前記送信端末に第１種類のシステム情報を送信することと、
を含み、前記第１物理制御シグナリングは、前記第１種類のシステム情報を伝送するための第１伝送リソースを含み、前記第１種類のシステム情報は、サイドリンクリソースプール情報を含む。
【００１５】
第２態様において、サイドリンクデータ伝送のための方法を提供し、
送信端末は、スケジューリング端末より送信されたサイドリンクリソースの指示情報を受信することと、
前記送信端末は、前記サイドリンクリソースの指示情報に基づいて、サイドリンクデータを伝送するための第１伝送リソースと伝送パラメータとを確定することと、
前記送信端末は、前記第１伝送リソースと前記伝送パラメータとを使用し、受信端末に前記サイドリンクデータを送信することと、
を含む。
【００１６】
第３態様において、サイドリンクデータ伝送のための方法を提供し、
受信端末は、送信端末より送信された物理制御シグナリングを受信することと、
前記受信端末は、Ｓｉｄｅｌｉｎｋ伝送リソースと伝送パラメータとに基づいて、前記送信端末より送信されたＳｉｄｅｌｉｎｋデータを受信することと、
を含み、前記物理制御シグナリングが、前記Ｓｉｄｅｌｉｎｋ伝送リソースと伝送パラメータとを含む。
【００１７】
第３態様を結合して、一例において、前記送信端末より送信された物理制御シグナリングを受信する前に、前記送信端末より送信されたシステム情報を受信することをさらに含み、前記システム情報は、前記送信端末が基地局のカバレッジ範囲内にあるか否かに関する指示情報、前記送信端末がスケジューリング端末のカバレッジ範囲内にあるか否かに関する指示情報、及び前記送信端末の送信帯域幅を含む。
【００１８】
第３態様を結合して、もう一例において、前記送信端末より送信された物理制御シグナリングを受信する前に、前記送信端末より送信された同期信号を受信することをさらに含み、前記同期信号は、前記送信端末の送信クロックを含む。
【００１９】
第４態様において、端末を提供し、前記端末は、サイドリンクデータ伝送のためのスケジューリング端末であり、
送信端末に第１物理制御シグナリングを送信するように構成される送信ユニット、を含み、前記第１物理制御シグナリングが、第１種類のシステム情報を伝送するための第１伝送リソースを含み、
前記送信ユニットは、前記送信端末に前記第１種類のシステム情報を送信するようにさらに構成され、前記第１種類のシステム情報は、サイドリンクリソースプール情報を含む。
【００２０】
第５態様において、端末を提供し、前記端末は、サイドリンクデータ伝送のための送信端末であり、
スケジューリング端末より送信されたサイドリンクリソースの指示情報を受信するように構成される受信ユニットと、
前記サイドリンクリソースの指示情報に基づいて、サイドリンクデータを伝送するための第１伝送リソースと伝送パラメータとを確定するように構成される処理ユニットと、
前記第１伝送リソースと前記伝送パラメータとを使用し、受信端末に前記サイドリンクデータを送信するように構成される送信ユニットと、
を含む。
【００２１】
第６態様において、端末を提供し、前記端末は、サイドリンクデータ伝送のための受信端末であり、
送信端末より送信された物理制御シグナリングを受信するように構成される受信ユニットを含み、前記物理制御シグナリングが、Ｓｉｄｅｌｉｎｋ伝送リソースと伝送パラメータとを含み、
前記受信ユニットは、前記Ｓｉｄｅｌｉｎｋ伝送リソースと伝送パラメータに基づいて、前記送信端末より送信されたＳｉｄｅｌｉｎｋデータを受信するようにさらに構成される。
【００２２】
本発明の実施例において、スケジューリング端末は、送信端末にＳｉｄｅｌｉｎｋ伝送リソースを設定することができ、Ｄ２ＤとＶ２Ｖ通信の成功率を向上させ、遅延を低減し、Ｄ２ＤとＶ２Ｖ通信のキャパシティを拡大することができる。
【図面の簡単な説明】
【００２３】
【図１】現行のＶ２Ｖシステムの配備場面の一つの概略図である。
【図２】本発明の実施例におけるＶ２Ｖシステムの配備場面の一つの概略図である。
【図３】本発明の実施例におけるシステムアーキテクチャの一つの概略図である。
【図４】本発明の実施例における無線リソーススケジューリングの方法の一つの概略的なフローチャートである。
【図５】本発明の実施例における無線リソーススケジューリングの方法のもう一つの概略的なフローチャートである。
【図６】図４に示される実施例に対する占用される時間周波数リソースの一つの概略図である。
【図７】図４に示される実施例に対する占用される時間周波数リソースの一つの概略図である。
【図８】図５に示される実施例に対する占用される時間周波数リソースの一つの概略図である。
【図９】図５に示される実施例に対する占用される時間周波数リソースの一つの概略図である。
【図１０】本発明の一つの実施例におけるサイドリンクデータ伝送のための方法のフローチャートである。
【図１１】本発明のもう一つの実施例におけるサイドリンクデータ伝送のための方法のフローチャートである。
【図１２】本発明の一つの実施例における端末の構成ブロック図である。
【図１３】本発明のもう一つの実施例における端末の構成ブロック図である。
【図１４】本発明のもう一つの実施例における端末の構成ブロック図である。
【図１５】本発明のもう一つの実施例における端末の構成ブロック図である。
【発明を実施するための形態】
【００２４】
本発明の実施例の技術案をより明確に説明するために、上記に実施例又は先行技術の説明で必要となる図面を簡単に説明し、明らかに、上記に記載する図面は本発明のいくつかの実施例だけであり、当業者であれば、創造的な労力を払わない前提で、これらの図面に基づいて他の図面を得ることができる。
【００２５】
以下に本発明の実施例における図面を結合し、本発明の実施例における技術案を明確的、全面的に説明し、明らかに、説明した実施例は本発明の一部の実施例だけであり、全ての実施例ではない。本発明の実施例に基づき、当業者が創造的な労力を払わずに得られた他の実施例は、全て本発明の保護範囲に属する。
【００２６】
図１は、現行のＶ２Ｖシステムの配備場面の一つの概略図である。図１において、車両２２と車両２４とは、基地局１０のネットワークカバレッジ範囲内にあり、つまり、車両２２と車両２４とは、基地局１０のスケジューリングに基づいてＶ２Ｖ通信を行うことができる。車両２６と車両２８とは、基地局１０のネットワークカバレッジ範囲外にあり、つまり、車両２６と車両２８とは、静的に記憶されているリソースプールから、リソースをランダムに選択するしかない。
【００２７】
それに対して注意する必要があるのは、例え図１内の車両２２と車両２４とが空間上基地局１０のネットワークカバレッジ範囲内にあるとしでも、車両２２と車両２４とは、Ｐａｒｔｉａｌ  Ｃｏｖｅｒａｇｅ場面にある可能である。例えば、時間的に、車両２２と車両２４とは、基地局１０からのスケジューリング情報を途切れる場合である。
【００２８】
図２は、本発明の実施例におけるＶ２Ｖシステムの配備場面の一つの概略図である。図２において、車両２１と車両２３とは、ＲＳＵ３０との間で通信できる。ＲＳＵは、常に路辺に装着され、車両に対して良くカバレッジしており、移動基地局のカバレッジされないエリアを補って、しかもバックホールネットワークが必要なく、通信事業者に依存せず、交通管理部門によって低コスト、密に配備することが可能である。
【００２９】
なお、本実施例において、車両２１及び車両２３と、ＲＳＵ  ３０との間の通信は、具体的に、車両２１内のＯＢＵ、車両２３内のＯＢＵは、ＲＳＵ  ３０と通信を行うと意味をする。
【００３０】
本発明の実施例において、ＲＳＵは、Ｖ２Ｘ信号の送受信の機能、及び基地局にスケジューリングされる機能以外に、ＯＢＵをスケジューリングする機能も備え、ＯＢＵ端末が基地局のカバレッジされない（Ｏｕｔ  ｏｆ  Ｃｏｖｅｒａｇｅ）場面にある時に基地局の代わりにされても良く、静的／準静的のリソースプール内のＳｉｄｅｌｉｎｋリソースをランダム選択方式から、Ｓｉｄｅｌｉｎｋリソーススケジューリング方式に転換し、基地局のＯｕｔ  ｏｆ  Ｃｏｖｅｒａｇｅ場面をＲＳＵのカバレッジ（Ｉｎ  Ｃｏｖｅｒａｇｅ）場面に転換することに相当する。
【００３１】
なお、図２に示されているＶ２Ｖシステムに関する記述を、Ｄ２Ｄシステム内のＤ２Ｄ通信に類似的に適用しても良く、即ち、スケジューリング機能を有する余分なＤ２Ｄ端末を配備することが可能であり、Ｓｉｄｅｌｉｎｋリソースのスケジューリングをより有効に実現する。
【００３２】
例えば、一人のユーザが複数のウェアラブルデバイスを携帯する場合において、該ユーザの携帯電話は、スマートフォン、スマートブレスレット、及び各種のウェアラブルセンサーからデータをアップロードする個人のゲートウェイだけではなく、これらのウェアラブルデバイスのＳｉｄｅｌｉｎｋリソースに対してスケジューリングを行うこともできる。
【００３３】
図３は、本発明の実施例におけるシステムアーキテクチャの一つの概略図である。図３に示されているシステムは、スケジューリング端末３１、送信端末２５、及び受信端末２７を含む。また、スケジューリング端末３１、送信端末２５及び受信端末２７の間は、Ｓｉｄｅｌｉｎｋインターフェースを介して通信を行う。
【００３４】
なお、本発明の実施例において、送信端末２５と受信端末２７との間は、Ｄ２Ｄ通信又はＶ２Ｖ通信を行うことができる。また、送信端末２５と受信端末２７における送信と受信は、概念上、相対的なものである。
【００３５】
本発明の実施例において、送信端末２５と受信端末２７とをタイプ１端末と称しても良く、スケジューリング端末３１をタイプ２端末と称しても良い。ここで、タイプ１端末の間は、Ｄ２Ｄ通信又はＶ２Ｖ通信を行うことができ、タイプ２端末は、タイプ１端末の間の伝送のためにリソースをスケジューリングする。なお、スケジューリング端末３１も相対的な概念であり、ある携帯電話が、図３に示されているシステムで、その中のスケジューリング端末３１（即ち、タイプ２端末）であり、タイプ１端末のためにリソースのスケジューリングするように用いられるが、別の場面において、該携帯電話は、自分のスケジューリングリソースのために、その他のスケジューリング端末を必要とし、つまり、後者の場面において、該携帯電話は、送信端末又は受信端末（即ちタイプ１端末）とされても良い。本発明の後続の実施例は、主に図３に示される場面に対して説明する。
【００３６】
タイプ１端末は、タイプ２端末にＳｉｄｅｌｉｎｋリソーススケジューリング要求（Ｓｃｈｅｄｕｌｉｎｇ  Ｒｅｑｕｅｓｔ）を行うことができ、タイプ２端末からのＳｉｄｅｌｉｎｋリソース許可（Ｓｃｈｅｄｕｌｉｎｇ  ｇｒａｎｔ）情報とＳｉｄｅｌｉｎｋリソースプール情報を受信する。その後、タイプ１端末は、その他のタイプ１端末にＳｉｄｅｌｉｎｋデータと、スケジューリング割り当て（Ｓｃｈｅｄｕｌｉｎｇ  Ａｓｓｉｇｎｍｅｎｔ、ＳＡ）を送信することができる。
【００３７】
タイプ２端末は、タイプ１端末からのＳｉｄｅｌｉｎｋリソーススケジューリング要求（Ｓｃｈｅｄｕｌｉｎｇ  ｒｅｑｕｅｓｔ）を受信し、タイプ１端末にＳｉｄｅｌｉｎｋリソースをスケジューリングし、対応するＳｉｄｅｌｉｎｋリソース許可（Ｓｃｈｅｄｕｌｉｎｇ  ｇｒａｎｔ）情報をタイプ１端末に送信することができる。タイプ２端末は、Ｓｉｄｅｌｉｎｋリソースプール情報を構成し、Ｓｉｄｅｌｉｎｋリソースプール情報をタイプ１端末に送信することもできる。
【００３８】
選択肢として、タイプ１端末はＯＢＵであっても良く、タイプ２端末はＲＳＵであっても良い。選択肢として、タイプ１端末は、ウェアラブルデバイスであっても良く、タイプ２端末は、ユーザの携帯電話であっても良い。
【００３９】
なお、本発明の実施例におけるタイプ１端末とタイプ２端末とは、一つのエンティティに集成しても良い。例えば、ある端末Ａは、タイプ１端末の機能もあるし、同時にタイプ２端末の機能も有する。この場合、図３に示されているタイプ１端末とタイプ２端末との間のＳｉｄｅｌｉｎｋインターフェースは、該端末Ａの一つの内部インターフェースであっても良い。例えば、ウェアラブルデバイスとしての個人ゲートウェイとＳｉｄｅｌｉｎｋスケジューリングノードとしての携帯電話は、各ウェアラブルデバイスとＳｉｄｅｌｉｎｋデータを伝送する伝送モジュールと、これらのウェアラブルデバイスに対してスケジューリングを行うスケジューリングモジュールとを含み、ここでの伝送モジュールは、タイプ１端末に相当し、スケジューリングモジュールは、タイプ２端末に相当し、二つのモジュールの間は、携帯電話内部のソフト・ハードウェアのインターフェースによって接続され、Ｓｉｄｅｌｉｎｋインターフェースによって接続されるわけではない。そのため、図３に示されているＳｉｄｅｌｉｎｋインターフェースは、広義的な記述であり、該ケースにおける内部インターフェースも含む。
【００４０】
図４は、本発明の実施例における無線リソーススケジューリングの方法の一つの概略的なフローチャートである。図４に示されている方法は、Ｓ１０１〜Ｓ１０９を含む。
【００４１】
Ｓ１０１において、スケジューリング端末３１は、送信端末２５に第１種類の同期信号を送信する。
【００４２】
選択肢として、スケジューリング端末３１は、ブロードキャストの形式によって該第１種類の同期信号を送信することができ、このように、スケジューリング端末３１とＳｉｄｅｌｉｎｋによって通信できるタイプ１端末のすべては、該第１種類の同期信号を受信することができる。
【００４３】
ここで、第１種類の同期信号は、スケジューリング端末３１の送信クロックを含むことができ、スケジューリング端末３１の識別子（Ｉｄｅｎｔｉｔｙ、ＩＤ）を含むことができる。
【００４４】
それに応じて、送信端末２５は、該第１種類の同期信号を受信してから、スケジューリング端末３１の送信クロックを得ることができ、同時に該スケジューリング端末３１のＩＤに基づいて、スケジューリング端末３１の識別子に対して識別することができる。
【００４５】
このように、送信端末２５とスケジューリング端末３１とは、該第１種類の同期信号に基づいて、同期を行うことができ、該同期の過程は、先行技術の同期過程に関する記載を参照することができ、本発明の実施例は、それ以上説明しない。
【００４６】
Ｓ１０２において、送信端末２５は、受信端末２７に第２種類の同期信号を送信する。
【００４７】
選択肢として、送信端末２５は、ブロードキャストの形式によって該第２種類の同期信号を送信することができ、このように、送信端末２５とＳｉｄｅｌｉｎｋによって通信できるその他のタイプ１端末のすべては、該第２種類の同期信号を受信することができる。
【００４８】
ここで、第２種類の同期信号は、送信端末２５の送信クロックを含むことができる。
【００４９】
それに応じて、受信端末２７は、該第２種類の同期信号を受信してから、送信端末２５の送信クロックを得ることができる。
【００５０】
このように、受信端末２７と送信端末２５とは、該第２種類の同期信号に基づいて、同期を行うことができ、該同期の過程は、先行技術の同期過程に関する記載を参照することができ、本発明の実施例は、それ以上説明しない。
【００５１】
Ｓ１０３において、スケジューリング端末３１は、送信端末２５に第１種類のシステム情報を送信する。
【００５２】
選択肢として、スケジューリング端末３１は、ブロードキャストの形式によって該第１種類のシステム情報を送信することができ、このように、スケジューリング端末３１とＳｉｄｅｌｉｎｋによって通信できるタイプ１端末のすべては、該第１種類のシステム情報を受信することができる。
【００５３】
ここで、該第１種類のシステム情報は、スケジューリング端末３１が基地局のカバレッジ範囲内にあるか否かに関する指示情報、スケジューリング端末３１のシステム構成パラメータ、及び第１伝送リソース構成情報を含むことができる。
【００５４】
ここで、スケジューリング端末３１が基地局のカバレッジ範囲内にあるか否かは、スケジューリング端末３１がＩｎ  Ｃｏｖｅｒａｇｅであるか、それともＯｕｔ  ｏｆ  Ｃｏｖｅｒａｇｅであるかなどを含むことができる
ここで、スケジューリング端末３１のシステム構成パラメータは、スケジューリング端末３１の送信帯域幅、及びスケジューリング端末３１のマルチアンテナ構成等の情報を含むことができる。
【００５５】
ここで、第１伝送リソース構成情報は、伝送待ちの第１物理制御シグナリングの伝送リソース構成情報と指しても良い。
【００５６】
Ｓ１０４において、送信端末２５は、受信端末２７に第２種類のシステム情報を送信する。
【００５７】
選択肢として、送信端末２５は、ブロードキャストの形式によって該第２種類のシステム情報を送信することができ、このように、送信端末２５とＳｉｄｅｌｉｎｋによって通信できるその他のタイプ１端末のすべては、該第２種類のシステム情報を受信することができる。
【００５８】
ここで、第２種類のシステム情報は、送信端末２５が基地局のカバレッジ範囲内であるか否かに関する指示情報、送信端末２５がスケジューリング端末３１のカバレッジ範囲内であるか否かに関する指示情報、及び送信端末２５の送信帯域幅を含むことができる。
【００５９】
Ｓ１０５において、スケジューリング端末３１は、送信端末２５に第１物理制御シグナリングを送信する。
【００６０】
選択肢として、スケジューリング端末３１は、ブロードキャストの形式によって該第１物理制御シグナリングを送信することができ、このように、スケジューリング端末３１とＳｉｄｅｌｉｎｋによって通信できるタイプ１端末のすべては、該第１物理制御シグナリングを受信することができる。
【００６１】
ここで、スケジューリング端末３１は、第１伝送リソースを使用して、第１物理制御シグナリングを送信することができる。言い換えれば、スケジューリング端末３１は、第１伝送リソースにおいて、第１物理制御シグナリングを送信する。
【００６２】
具体的に、Ｓ１０５において、送信端末２５は、Ｓ１０３で受信した第１伝送リソース構成情報に基づいて、該第１物理制御シグナリングを受信する。言い換えれば、送信端末２５は、第１伝送リソースにおいて、第１物理制御シグナリングを受信する。
【００６３】
ここで、第１物理制御シグナリングは、第２伝送リソース構成情報を含む。
【００６４】
ここで、第２伝送リソース構成情報は、伝送待ちの第３種類のシステム情報の伝送リソース構成情報を指すことが可能である。
【００６５】
Ｓ１０６において、スケジューリング端末３１は、送信端末２５に第３種類のシステム情報を送信する。
【００６６】
選択肢として、スケジューリング端末３１は、ブロードキャストの形式によって該第３種類のシステム情報を送信することができ、このように、スケジューリング端末３１とＳｉｄｅｌｉｎｋによって通信できるタイプ１端末のすべては、該第３種類のシステム情報を受信することができる。
【００６７】
ここで、スケジューリング端末３１は、第２伝送リソースを使用して、第３種類のシステム情報を送信することができる。言い換えれば、スケジューリング端末３１は、第２伝送リソースにおいて、第３種類のシステム情報を送信する。
【００６８】
具体的に、Ｓ１０６において、送信端末２５は、Ｓ１０５で受信した第２伝送リソース構成情報に基づいて、該第３種類のシステム情報を受信する。言い換えれば、送信端末２５は、第２伝送リソースにおいて、第３種類のシステム情報を受信する。
【００６９】
ここで、第３種類のシステム情報は、Ｓｉｄｅｌｉｎｋリソースプール情報を含むことができる。
【００７０】
ここで、Ｓｉｄｅｌｉｎｋリソースプールは、スケジューリング端末３１がタイプ１端末（送信端末２５と受信端末２７）の間でのＳｉｄｅｌｉｎｋデータ伝送のために設定されるものである。
【００７１】
選択肢として、一つの実施例として、Ｓ１０３における第１種類のシステム情報に含まれる第１伝送リソース構成情報は、伝送待ちの第３種類のシステム情報の伝送リソース構成情報を指すことが可能である。この時、図４内のＳ１０５を実施しなくてもよく、この場合のＳ１０６において、送信端末２５は、Ｓ１０３で受信した第１伝送リソース構成情報に基づいて、該第３種類のシステム情報を受信する。
【００７２】
Ｓ１０７において、送信端末２５は、Ｓｉｄｅｌｉｎｋデータを伝送するＳｉｄｅｌｉｎｋ伝送リソースと伝送パラメータを確定する。
【００７３】
具体的に、送信端末２５は、Ｓ１０６で受信したＳｉｄｅｌｉｎｋリソースプールから、Ｓｉｄｅｌｉｎｋ伝送リソースを選択する。
【００７４】
一つの実施例として、送信端末２５は、Ｓｉｄｅｌｉｎｋリソースプールから、Ｓｉｄｅｌｉｎｋデータを後続に伝送するためのＳｉｄｅｌｉｎｋ伝送リソースを自ら選択することができ、Ｓｉｄｅｌｉｎｋデータを後続に伝送するための伝送パラメータを確定する。
【００７５】
例えば、Ｓｉｄｅｌｉｎｋリソースプール内のアイドル状態にあるリソースから、一つのアイドル状態にあるリソースをランダム的に選択し、Ｓｉｄｅｌｉｎｋ伝送リソースとすることができる。
【００７６】
ここで、伝送パラメータは、伝送フォーマットと称しても良く、変調等級、符号化レート等の変調符号化方式などを含むことができる。
【００７７】
Ｓ１０８において、送信端末２５は、受信端末２７に第２物理制御シグナリングを送信する。
【００７８】
ここで、第２物理制御シグナリングは、Ｓｉｄｅｌｉｎｋ伝送リソースと伝送パラメータを含むことができる。
【００７９】
選択肢として、送信端末２５は、予め定義された送信リソースを使用し、該第２物理制御シグナリングを送信することができる。
【００８０】
Ｓ１０９において、送信端末２５は、受信端末２７にＳｉｄｅｌｉｎｋデータを送信する。
【００８１】
具体的に、送信端末２５は、Ｓ１０７で確定されたＳｉｄｅｌｉｎｋ伝送リソースと伝送パラメータを使用して、受信端末２７にＳｉｄｅｌｉｎｋデータを送信する。
【００８２】
それに応じて、受信端末２７は、Ｓ１０８で受信したＳｉｄｅｌｉｎｋ伝送リソースと伝送パラメータに基づいて、送信端末２５より送信されたＳｉｄｅｌｉｎｋデータを受信する。言い換えれば、受信端末２７は、Ｓｉｄｅｌｉｎｋ伝送リソースにおいて、該伝送パラメータに基づいてＳｉｄｅｌｉｎｋデータを受信する。
【００８３】
このように、本発明の実施例において、一つの端末（スケジューリング端末３１）がその他の端末（送信端末２５と受信端末２７）に対して、Ｓｉｄｅｌｉｎｋリソースをスケジューリングすることをサポートすることができるように、Ｓｉｄｅｌｉｎｋリンクに一連の信号、情報、チャネルを追加し、さらに、これらの新たに追加された信号、情報、チャネルに基づいて、同期とリソーススケジューリングなどのＳｉｄｅｌｉｎｋ通信過程を新たに追加している。
【００８４】
基地局のカバレッジ範囲外のタイプ１端末（送信端末２５と受信端末２７）を、タイプ２端末（スケジューリング端末３１）のＩｎ  Ｃｏｖｅｒａｇｅ場面に転換する。例えば、ＲＳＵにＳｉｄｅｌｉｎｋリソースのスケジューリング機能を追加することができ、それによって、ＲＳＵはＯｕｔ  ｏｆ  ｃｏｖｅｒａｇｅ場面において、基地局の代わりにして、静的／準静的リソースプール内のＳｉｄｅｌｉｎｋリソースのランダム選択方式をＳｉｄｅｌｉｎｋリソーススケジューリング方式（例えば図２に示すように）に変えることができる。このように、伝送リソースをランダムに選択することによる、Ｓｉｄｅｌｉｎｋリソースの衝突とＯＢＵ端末の間の干渉とを最大限に避けることができ、Ｄ２ＤとＶ２Ｖ通信の成功率を大幅に向上させ、遅延を低減し、Ｄ２ＤとＶ２Ｖ通信のキャパシティを拡大することができる。
【００８５】
なお、図４に示されているような、送信端末２５がスケジューリング端末３１に基づいて、リソースプールのＳｉｄｅｌｉｎｋリソースの自ら選定の通信フローは、送信端末２５がスケジューリング端末３１のＰａｒｔｉａｌ  Ｃｏｖｅｒａｇｅ場面にある場合に用いられることができ、送信端末２５がスケジューリング端末３１のＩｎ  Ｃｏｖｅｒａｇｅにあるものの、送信端末２５がスケジューリング端末３１よりＳｉｄｅｌｉｎｋ伝送リソースを割り当てることを望まない場面にも用いられることができる。
【００８６】
また、スケジューリング端末３１と送信端末２５とが一つの物理エンティティ（例えば、一つの端末）に集成する場面において、上記のスケジューリング端末３１と送信端末２５との間のＳｉｄｅｌｉｎｋ通信フローは、該一つの物理エンティティ（例えば、一つの端末）の内部通信フローに代替されることができ、それにしても、上記の図４の通信フローに適することができる。
【００８７】
なお、図４内のフローの番号は、必ずフローの実行順序とは限らない。例えば、Ｓ１０１とＳ１０２とは同時に実施しても良く、又は、Ｓ１０３、Ｓ１０５及びＳ１０６は、Ｓ１０２の前に実施しても良く、等々。具体的な実施順序は、各ステップ間のロジック関係によるものである。
【００８８】
図５は、本発明の実施例における無線リソーススケジューリングの方法のもう一つの概略的なフローチャートである。図５に示されている方法は以下のステップを含む。
【００８９】
Ｓ１０１において、スケジューリング端末３１は、送信端末２５に第１種類の同期信号を送信する。
【００９０】
Ｓ１０２において、送信端末２５は、受信端末２７に第２種類の同期信号を送信する。
【００９１】
Ｓ１０３において、スケジューリング端末３１は、送信端末２５に第１種類のシステム情報を送信する。
【００９２】
Ｓ１０４において、送信端末２５は、受信端末２７に第２種類のシステム情報を送信する。
【００９３】
Ｓ１０５において、スケジューリング端末３１は、送信端末２５に第１物理制御シグナリングを送信する。
【００９４】
ここで、第１物理制御シグナリングは、第２伝送リソース構成情報を含む。
【００９５】
ここで、第２伝送リソース構成情報は、伝送待ちの第３種類のシステム情報の伝送リソース構成情報を指すことが可能である。
【００９６】
図５のステップＳ１０１〜Ｓ１０５は、上記の図４内の同様な要求を有するステップの記載を参照することができ、重複を避けるため、ここで再び説明しない。
【００９７】
図４内の記載と同様に、Ｓ１０３における第１種類のシステム情報に含まれる第１伝送リソース構成情報が、伝送待ちの第３種類のシステム情報の伝送リソース構成情報と指した場合、Ｓ１０５を実施しなくてもよい。
【００９８】
Ｓ２０６において、スケジューリング端末３１は、送信端末２５に第３種類のシステム情報を送信する。
【００９９】
選択肢として、スケジューリング端末３１は、ブロードキャストの形式によって該第３種類のシステム情報を送信することができ、このように、スケジューリング端末３１とＳｉｄｅｌｉｎｋによって通信できるタイプ１端末のすべては、該第３種類のシステム情報を受信することができる。
【０１００】
ここで、スケジューリング端末３１は、第２伝送リソースを使用して、第３種類のシステム情報を送信することができる。言い換えれば、スケジューリング端末３１は、第２伝送リソースにおいて、第３種類のシステム情報を送信する。
【０１０１】
具体的に、Ｓ２０６において、送信端末２５は、Ｓ１０５で受信した第２伝送リソース構成情報に基づいて、該第３種類のシステム情報を受信する。言い換えれば、送信端末２５は、第２伝送リソースにおいて、該第３種類のシステム情報を受信する。
【０１０２】
Ｓ１０３における、第１種類のシステム情報に含まれる第１伝送リソース構成情報は、伝送待ちの第３種類のシステム情報の伝送リソース構成情報を指しており、即ち、Ｓ１０５が実施しない場合、Ｓ２０６において、送信端末２５は、Ｓ１０３で受信した第１伝送リソース構成情報に基づいて、該第３種類のシステム情報を受信する。
【０１０３】
ここで、第３種類のシステム情報は、スケジューリング端末３１のアクセスチャネルのリソース構成情報を含むことができる。
【０１０４】
ここで、アクセスチャネルのリソース構成情報は、送信端末２５がアクセスプリアンブル情報を送信するための伝送リソースと指しても良い。
【０１０５】
Ｓ２０７において、送信端末２５は、スケジューリング端末３１にアクセスチャネルを送信する。
【０１０６】
具体的に、送信端末２５は、Ｓ２０６で受信したアクセスチャネルのリソース構成情報に基づいて、アクセスチャネルを送信する。即ち、送信端末２５は、アクセスチャネルのリソースを使用して、該アクセスチャネルを送信する。
【０１０７】
ここで、該アクセスチャネルは、アクセスプリアンブル信号を含むことができる。
【０１０８】
Ｓ２０８において、スケジューリング端末３１は、伝送遅延を確定する。
【０１０９】
具体的に、スケジューリング端末３１は、Ｓ２０７で受信したアクセスプリアンブル信号に基づいて、送信端末２５とスケジューリング端末３１との間の伝送遅延を推定する。
【０１１０】
Ｓ２０９において、スケジューリング端末３１は、送信端末２５に第３物理制御シグナリングを送信する。
【０１１１】
ここで、該第３物理制御シグナリングは、フィードバックリソース構成情報を含むことができる。
【０１１２】
具体的に、フィードバックリソース構成情報は、Ｓ２０７におけるアクセスプリアンブル信号に対するフィードバックのリソース構成情報と指している。
【０１１３】
選択肢として、一つの実施例として、本発明の実施例における第１物理制御シグナリングと第３物理制御シグナリングとは、同一の物理チャネルで伝送することができる。
【０１１４】
Ｓ２１０において、スケジューリング端末３１は、送信端末２５に第１種類の高レイヤ制御シグナリングを送信する。
【０１１５】
ここで、該第１種類の高レイヤ制御シグナリングは、Ｓ２０７におけるアクセスプリアンブル信号に対するフィードバック情報を含むことができ、該フィードバック情報は、該送信端末２５に対する送信クロック調整命令、及び第３伝送リソース構成情報を含む。
【０１１６】
ここで、第３伝送リソース構成情報は、スケジューリング端末３１によって割り当てられたものであり、送信端末２５が端末ＩＤを報告するのに使用される伝送リソース構成情報に用いられる。
【０１１７】
ここで、スケジューリング端末３１は、第３物理制御シグナリングに含まれるフィードバックリソースを使用し、第１種類の高レイヤ制御シグナリングを送信する。言い換えれば、スケジューリング端末３１は、該フィードバックリソースにおいて、第１種類の高レイヤ制御シグナリングを送信する。それに応じて、送信端末２５は、該フィードバックリソースにおいて、該第１種類の高レイヤ制御シグナリングを受信することができる。
【０１１８】
具体的に、Ｓ２１０において、送信端末２５は、Ｓ２０９で受信したフィードバックリソース構成情報に基づいて、該第１種類の高レイヤ制御シグナリングを受信する。
【０１１９】
Ｓ２１１において、送信端末２５は、クロックを調整する。
【０１２０】
送信端末２５は、第１種類の高レイヤ制御シグナリングに含まれるクロック調整命令に基づいて、送信端末２５のローカルのクロックに対して調整を行い、具体的にスケジューリング端末３１に対する送信クロックを調整し、スケジューリング端末３１との同期状態を更新する。
【０１２１】
Ｓ２１２において、送信端末２５は、スケジューリング端末３１に第２種類の高レイヤ制御シグナリングを送信する。
【０１２２】
ここで、該第２種類の高レイヤ制御シグナリングは、送信端末２５の端末ＩＤを含む。
【０１２３】
具体的に、送信端末２５は、第１種類の高レイヤ制御シグナリング内の第３伝送リソース構成情報に基づいて、スケジューリング端末３１に自分の端末ＩＤを報告する。又は、言い換えれば、送信端末２５は、第３伝送リソースを使用して、スケジューリング端末３１に第２種類の高レイヤ制御シグナリングを送信する。
【０１２４】
それに応じて、スケジューリング端末３１は、第３伝送リソースにおいて、該第２種類の高レイヤ制御シグナリングを受信することができる。
【０１２５】
Ｓ２１３において、スケジューリング端末３１は、送信端末２５がスケジューリング端末３１と、既に成功に接続を確立しているか否かを判断する。
【０１２６】
具体的に、スケジューリング端末３１は、Ｓ２１２における送信端末２５の端末ＩＤに基づいて、送信端末２５が自分と成功に接続を確立しているか否かを判断する。
【０１２７】
Ｓ２１４において、スケジューリング端末３１は、送信端末２５に第３種類の高レイヤ制御シグナリングを送信する。
【０１２８】
選択肢として、一つの実施例として、Ｓ２１３において送信端末２５がスケジューリング端末３１と成功に接続を確立していないことを判断した場合、該第３種類の高レイヤ制御シグナリングに該送信端末２５のＩＤが含まれない。
【０１２９】
それに応じて、送信端末２５が、Ｓ２１４において、第３種類の高レイヤ制御シグナリングを受信した後に、解析などによって該第３種類の高レイヤ制御シグナリングに送信端末２５自身のＩＤが含まれていないことを発覚した場合、送信端末２５は、Ｓ２１４の後にＳ２０７を実施し、スケジューリング端末３１にアクセスチャネルを再送する。
【０１３０】
選択肢として、もう一つの実施例として、Ｓ２１３において、送信端末２５がスケジューリング端末３１と成功に接続を確立したことを判断した場合、該第３種類の高レイヤ制御シグナリングは、該送信端末２５のＩＤを含み、同時に、該第３種類の高レイヤ制御シグナリングは、第４伝送リソース構成情報を含むことも可能である。
【０１３１】
ここで、第４伝送リソース構成情報は、送信端末２５によってＳｉｄｅｌｉｎｋリソーススケジューリング要求を報告するために用いられる。
【０１３２】
それに応じて、送信端末２５が、Ｓ２１４において、第３種類の高レイヤ制御シグナリングを受信した後に、解析によって、該第３種類の高レイヤ制御シグナリングに送信端末２５自身のＩＤが含まれていることを発覚し、即ち、送信端末２５が第３種類の高レイヤ制御シグナリングに自身のＩＤを見つかった場合、送信端末２５は、Ｓ２１４の後にＳ２１５を実施する。
【０１３３】
選択肢として、一つの実施例として、本発明の実施例における第１種類の高レイヤ制御シグナリングと第３種類の高レイヤ制御シグナリングとは、同一の制御チャネルで伝送することができる。
【０１３４】
Ｓ２１５において、送信端末２５は、スケジューリング端末３１に第４物理制御シグナリングを送信する。
【０１３５】
具体的に、送信端末２５が、Ｓ２１４において受信された第３種類の高レイヤ制御シグナリングに自身のＩＤが含まることが発覚し、即ち、送信端末２５が、スケジューリング端末３１との間で既に接続が確立できていることを確定した場合、該第４物理制御シグナリングを送信する。
【０１３６】
送信端末２５は、第４伝送リソースを使用し、該第４物理制御シグナリングを送信することができる。
【０１３７】
ここで、第４物理制御シグナリングは、Ｓｉｄｅｌｉｎｋリソーススケジューリング要求（ＳＲ：Ｓｃｈｅｄｕｌｉｎｇ  Ｒｅｑｕｅｓｔ）を含む。
【０１３８】
Ｓ２１６において、送信端末２５は、スケジューリング端末３１に第４種類の高レイヤ制御シグナリングを送信する。
【０１３９】
ここで、第４種類の高レイヤ制御シグナリングは、送信端末２５のＳｉｄｅｌｉｎｋのバッファー状態報告（ＢＳＲ：Ｂｕｆｆｅｒ  Ｓｔａｔｕｓ  Ｒｅｐｏｒｔ）を含む。
【０１４０】
選択肢として、本発明の実施例において、第２種類の高レイヤ制御シグナリングと第４種類の高レイヤ制御シグナリングとは、同一の制御チャネル上で伝送することができる。
【０１４１】
Ｓ２１７において、スケジューリング端末３１は、送信端末２５に第５種類の物理制御シグナリングを送信する。
【０１４２】
ここで、該第５種類の物理制御シグナリングは、Ｓｉｄｅｌｉｎｋリソース割り当て情報を含むことができる。
【０１４３】
ここで、スケジューリング端末３１は、送信端末２５からのＳｉｄｅｌｉｎｋリソーススケジューリング要求を受信した後に、Ｓ２１７を実施する。具体的に、該Ｓｉｄｅｌｉｎｋリソース割り当て情報は、スケジューリング端末３１がタイプ１端末（送信端末２５と受信端末２７）間のＳｉｄｅｌｉｎｋデータ伝送のために設定されるものである。
【０１４４】
選択肢として、本発明の実施例において、第２種類の高レイヤ制御シグナリングと第４種類の高レイヤ制御シグナリングとは、同一の制御チャネル上で伝送することができる。
【０１４５】
選択肢として、本発明の実施例において、第１物理制御シグナリング、第３物理制御シグナリング、及び第５物理制御シグナリングは、同一の物理制御チャネルで伝送することができる。
【０１４６】
Ｓ２１８において、送信端末２５は、Ｓｉｄｅｌｉｎｋデータを伝送するＳｉｄｅｌｉｎｋ伝送リソースと伝送パラメータを確定する。
【０１４７】
具体的に、送信端末２５は、Ｓｉｄｅｌｉｎｋリソース割り当て情報に基づいて、Ｓｉｄｅｌｉｎｋ伝送リソースと伝送パラメータを確定する。
【０１４８】
Ｓ１０８において、送信端末２５は、受信端末２７に第２物理制御シグナリングを送信する。
【０１４９】
Ｓ１０９において、送信端末２５は、受信端末２７にＳｉｄｅｌｉｎｋデータを送信する。
【０１５０】
図５内のステップＳ１０８〜Ｓ１０９は、上記の図４内の同様な要求を有するステップの記述を参照することができ、重複を避けるため、ここで再び説明しない。
【０１５１】
なお、上記の図５の実施例においても、スケジューリング端末３１は、定期的又は周期的に送信端末２５にサイドリンクリソースプール情報を送信することができる。このように、その後のある時に送信端末２５がスケジューリング端末３１と通信できない場合、又は送信端末２５が、スケジューリング端末３１により割り当てられることを望まない場合においても、送信端末２５は、以前に受信したサイドリンクリソースプール情報から、Ｓｉｄｅｌｉｎｋ伝送リソースを選択することができ、即ち、図５に示される方法の後のあるタイミング又はある状況において、送信端末２５は、また図４のＳ１０７−Ｓ１０９を実施することができる。
【０１５２】
このように、本発明の実施例において、一つの端末（スケジューリング端末３１）のその他の端末（送信端末２５と受信端末２７）に対するＳｉｄｅｌｉｎｋリソースのスケジューリングをサポートすることができるように、Ｓｉｄｅｌｉｎｋリンクにおいて、一連の信号、情報、シグナリングを追加し、さらに、これらの新たに追加された信号、情報、シグナリングに基づいて、同期、アクセスとリソーススケジューリングなどのＳｉｄｅｌｉｎｋ通信過程も新たに追加している。
【０１５３】
基地局のカバレッジ範囲外にあるタイプ１端末（送信端末２５と受信端末２７）をタイプ２端末（スケジューリング端末３１）のＩｎ  Ｃｏｖｅｒａｇｅ場面に変える。例えば、ＲＳＵにＳｉｄｅｌｉｎｋリソーススケジューリング機能を追加することができ、Ｏｕｔ  ｏｆ  ｃｏｖｅｒａｇｅ場面で基地局の代わりにして、静的／準静的リソースプール内のＳｉｄｅｌｉｎｋリソースのランダム選択方式をＳｉｄｅｌｉｎｋリソーススケジューリング方式に変える（図２に示されるように）。このように、伝送リソースをランダムに選択することによって引き起こされるＳｉｄｅｌｉｎｋリソースの衝突とＯＢＵ端末の間の干渉とを最大限に避けることができ、Ｖ２Ｖ通信の成功率を大幅に向上させ、遅延を低減し、Ｖ２Ｖ通信キャパシティを拡大することができる。
【０１５４】
なお、図５に示されているような、送信端末２５がスケジューリング端末３１に基づいて、リソースプールのＳｉｄｅｌｉｎｋリソースの自ら選定の通信フローは、送信端末２５がスケジューリング端末３１のＩｎ  Ｃｏｖｅｒａｇｅ場面にある場合に用いられることができ、ここで、送信端末２５は、スケジューリング端末３１とリアルタイム的にアクセス過程を実施することができ、即ち、図５のＳ２０７〜Ｓ２１４である。
【０１５５】
また、スケジューリング端末３１と送信端末２５とが一つの物理エンティティ（例えば、一つの端末）に集成する場面において、上記のスケジューリング端末３１と送信端末２５との間のＳｉｄｅｌｉｎｋ通信フローは、該一つの物理エンティティ（例えば、一つの端末）の内部通信フローに代替されることができ、それにしても、上記の図５の通信フローに適することができる。
【０１５６】
上記の図４と図５の本発明の実施例のフローから分かるように、基地局のＰａｒｔｉａｌ  ｃｏｖｅｒａｇｅとＯｕｔ  ｏｆ  ｃｏｖｅｒａｇｅにあるＤ２ＤとＶ２Ｖとの通信において、本発明におけるＳｉｄｅｌｉｎｋ通信方法は、現行の方法より明らかな効果を取得することができる。Ｉｎ  ｃｏｖｅｒａｇｅにあるＤ２ＤとＶ２Ｖとの通信において、本発明におけるＳｉｄｅｌｉｎｋ通信方法も、現行の方法より潜在的な優れる効果を取得することができる。
【０１５７】
現行のＰａｒｔｉａｌ  ｃｏｖｅｒａｇｅとＯｕｔ  ｏｆ  ｃｏｖｅｒａｇｅ場面において、基地局は、Ｄ２Ｄ端末又はＯＢＵ端末のＳｉｄｅｌｉｎｋ送信リソースに対して動的にスケジューリングすることができず、Ｄ２Ｄ端末またはＯＢＵ端末は、基地局からシステム情報（ＳＩ：Ｓｙｓｔｅｍ  Ｉｎｆｏｒｍａｔｉｏｎ）ブロードキャストのＳｉｄｅｌｉｎｋリソースプール、又は予め設定されたリソースプール内から送信リソースをランダムに選択するしかならず、Ｄ２Ｄ端末又はＯＢＵ端末が選択したリソースはやむをえずに衝突が発生し、それによって端末間の干渉が引き起こされる。一定の範囲内の端末の数（特にＶ２Ｖシステムにおいて、数百台の車両が同一領域で同時に信号を送信する）の増加につれ、伝送成功率の低下、伝送遅延の増大などの悪影響が引き起こされ、Ｖ２Ｖシステムの性能と信頼性が交通安全のニーズを満たすことができなくなり、Ｄ２Ｄ／Ｖ２Ｖシステムの通信信頼性も大幅に低下する。
【０１５８】
本発明の実施例により提案されているタイプ２端末（Ｖ２Ｖ通信において新型のＲＳＵであっても良く、Ｄ２Ｄ通信においてスケジューリング機能を有するＤ２Ｄ端末であっても良い）は、Ｏｕｔ  ｏｆ  ｃｏｖｅｒａｇｅとＰａｒｔｉａｌ  ｃｏｖｅｒａｇｅ場面において、基地局を代替し、Ｄ２Ｄ端末又はＯＢＵ端末のＳｉｄｅｌｉｎｋ送信リソースに対して動的にスケジューリングし、それによって端末間の干渉を避けることができ、伝送の成功率を向上させ、伝送遅延を減少し、Ｄ２Ｄ／Ｖ２Ｖシステムの性能と信頼性を保つことができる。
【０１５９】
ここで、本発明の実施例において、タイプ２端末がＳｉｄｅｌｉｎｋ無線リソースのスケジューリングに関与する利点は、具体的に下記の通りである。（１）、タイプ２端末は、より大密度、より柔軟的に配備することができ、Ｄ２Ｄ、Ｖ２Ｖ端末に対してより良くカバレッジをする。例えばＲＳＵなどが通常路辺に配備し、近く通信する車両に対して、基地局信号不良又は基地局のカバレッジされていない領域を有効にカバレッジすることができ、それによってＯｕｔ  ｏｆ  ｃｏｖｅｒａｇｅ領域を縮小することができる。（２）、セルラー通信基地局のネットワークは、Ｄ２Ｄ通信又は車車間／路車間に対して行われず、必ずＤ２Ｄ端末と自動車道路網、車両の密度の分布（例えば、基地局のカバレッジの薄い郊外で繁忙な高速道路を建てる可能性がある）に合うわけではなく、ＲＳＵなどのタイプ２端末は、有線ネットワークでの接続が必要とせず、配備が柔軟であり、コストも基地局より大幅に低く、基地局より道路と車両の流れのトポロジー、重要のカバレッジの密度の高い車両の流れの場面に適合することが可能である。ウェアラブルデバイスの場面において、携帯電話が通信事業者のカバレッジ範囲内にない場合でも、携帯電話がユーザのウェアラブルデバイスの間、ウェアラブルデバイスと携帯電話との間での通信に対して独立してスケジューリングすることができる。（３）、基地局の少ない領域において、タイプ２端末のカバレッジ範囲は、明らかに基地局のカバレッジ範囲より小さいく、基地局のカバレッジ範囲内に複数のタイプ２端末のカバレッジ領域を形成し、しかも空間周波数多重化を採用するが、基地局がこれらのタイプ２端末のカバレッジ領域を区別することができないため、統一してスケジューリングするしかできず、空間ドメインのリソースの無駄になる。タイプ２端末のカバレッジ範囲がＤ２Ｄ／ＯＢＵ端末のカバレッジ範囲と大抵同じであり、基地局のカバレッジ範囲内で複数のタイプ２端末を配置することによって、複数の周波数多重化領域を形成することができ、より細かな周波数多重化によって、より良いスペクトル効率を実現する。ウェアラブルデバイス場面において、基地局のカバレッジ範囲内により大量なウェアラブルデバイス群が含まれ、複数のウェアラブルデバイス群は、群の代表としての携帯電話のＳｉｄｅｌｉｎｋスケジューリングに基づいて、同じの
周波数リソースを多重化することができる。（４）、本発明におけるタイプ２端末は、完全にＳｉｄｅｌｉｎｋ搬送波で動作し、僅かなＳｉｄｅｌｉｎｋスペクトルリソースしか占用せず、一区切りスペクトルにおいてセンタースケジューリングを有するＤ２Ｄ／Ｖ２Ｖ通信を実現することができ、基地局のように余分なアップリンク（Ｕｐｌｉｎｋ）とダウンリンク（Ｄｏｗｎｌｉｎｋ）の搬送波のスペクトルリソースを占用しなくても良く、スペクトルリソースを大幅に省くことができ、スペクトルの割り当ての難易度を低減することができる。基地局のＩｎ  ｃｏｖｅｒａｇｅ範囲内においても、タイプ２端末のＳｉｄｅｌｉｎｋにおけるスケジューリングによって、基地局のＵｕインターフェースにおけるスケジューリング作業を有効に分担し、セルラーネットワークＰＤＣＣＨとＰＵＣＣＨとのネットワーク負荷を減少することができ、より多くの制御チャネルリソースをセルラー移動通信サービスに残してあげる。（５）、通信事業者がＤ２Ｄ／Ｖ２Ｖネットワークカバレッジをしていない領域と国において、第３者の運営機構によってタイプ２端末（例えば、交通管理部門によってＲＳＵを配備する）を配備しても良く、通信事業者の代わりにＤ２Ｄ／Ｖ２Ｖネットワークに対してスケジューリングする。
【０１６０】
本発明の実施例において、Ｓｉｄｅｌｉｎｋリンクに一連の信号、情報及びシグナリングを追加し、これらの信号、情報及びシグナリングは、時間周波数リソースにおいて同じリソースを多重化することができる。
【０１６１】
図６と図７のそれぞれは、図４内の信号、情報及びシグナリングなどに占用される時間周波数リソースの概略図である。
【０１６２】
図８と図９のそれぞれは、図５内の信号、情報及びシグナリングなどに占用される時間周波数リソースの概略図である。
【０１６３】
本発明の実施例において、同期信号（第１種類の同期信号と第２種類の同期信号を含む）は、同期シーケンスによりなる。また、同期信号を受信する端末が区別できるように、異なる端末は、異なる同期シーケンスを使用することができる。例えば、スケジューリング端末３１は、１セットのシーケンス内の静的構成に基づいて第１種類の同期シーケンス（即ち、第１種類の同期シーケンスは、１セットのシーケンス内の静的に構成されるものである）を確定することができ、送信端末２５は、１セットのシーケンス内から自分の使用する第２種類の同期シーケンスを動的に選択することができる。
【０１６４】
同期信号は、予め構成された時間周波数リソースにおいて、周期的に送信されることができ、一つの時間ドメイン周期における、同期信号に占用されるフレーム、サブフレーム、シンボルの数と位置は予め設定されるものであっても良く、周波数ドメインにおいて、Ｓｉｄｅｌｉｎｋ伝送帯域幅の中央の一区切りの周波数を常に占用して送信することができる。
【０１６５】
全ての第１種類の同期信号（即ち、複数のタイプ２の端末より送信された第１種類の同期信号）は、同じ伝送リソースを共有することができ、異なるタイプ２の端末より送信された第１種類の同期信号は、異なるシーケンスによって区別することができ、即ち、複数のタイプ２の端末より送信された複数の第１種類の同期信号の間は、符号分割多重化（ＣＤＭ：Ｃｏｄｅ  Ｄｉｖｉｓｉｏｎ  Ｍｕｌｔｉｐｌｅｘｅｄ）されるものである。全ての第２種類の同期信号（即ち、複数のタイプ１端末より送信された第２種類の同期信号）は、同じ伝送リソースを共有することができ、異なるタイプ１端末の第２種類の同期信号は、異なるシーケンスによって区別することができ、即ち、複数のタイプ１端末より送信された複数の第２種類の同期信号の間はＣＤＭされるものである。
【０１６６】
具体的に、第１種類の同期信号と第２種類の同期信号との間での多重化は、二つの構造があり得る。
【０１６７】
一つ目の構造は、図６と図８に示すように、ここで、第１種類の同期信号と第２種類の同期信号とは異なる時間ドメイン伝送リソースを占用し、即ち、両者は時分割多重化（Ｔｉｍｅ  Ｄｉｖｉｓｉｏｎ  Ｍｕｌｔｉｐｌｅｘｅｄ、ＴＤＭ）されるものであり、このような状況において、第１種類の同期信号と第２種類の同期信号とは、同じの同期シーケンスを使用することができ、同期信号を受信する端末は、時間ドメインリソースの位置によって、受信されたのが第１種類の同期信号であるか、それとも第２種類の同期信号であるかを区別することができる。
【０１６８】
二つ目の構造は、図７と図９に示すように、ここで、第１種類の同期信号と第２種類の同期信号とは、同じ伝送リソースを共有することができ、即ち、両者はＣＤＭされるものであり、このような状況において、第１種類の同期信号と第２種類の同期信号とは、異なる同期シーケンスセット（即ち、第１種類の同期シーケンスは、第１同期シーケンスセットにより静的構成されるものであり、第２種類の同期シーケンスは、第２同期シーケンスセットにより動的に選択されるものである）を使用することができ、同期信号を受信する端末は、シーケンスの所属するシーケンスセットによって、受信したのが第１種類の同期信号であるか、それとも第２種類の同期信号であるかを区別することができる。
【０１６９】
本発明の実施例において、第１種類のシステム情報と第２種類のシステム情報とは、端末によってスクランブリング符号によるスクランブリング（ＵＥ−ｓｐｅｃｉｆｉｃ  ｓｃｒａｍｂｌｉｎｇ）を特定することができ、第１種類のシステム情報又は第２種類のシステム情報を受信する端末は、異なるスクランブリング符号を採用してデスクランブリングを行うことができ、それによって、異なる端末からのシステム情報を区別する。タイプ１端末の使用するスクランブリング符号がそれを使用する同期シーケンスとバインディングされ、タイプ２端末の使用するスクランブリング符号がそれを使用する同期シーケンスとバインディングされる。第１種類のシステム情報と第２種類のシステム情報とは、予め構成された時間周波数リソースにおいて、周期的に送信されることができ、一つの時間ドメイン周期内において占用されるフレーム、サブフレーム、シンボルの数と位置は予め設定されることができ、周波数ドメインにおいて、Ｓｉｄｅｌｉｎｋ伝送帯域幅の中央の一区切りの周波数を常に占用して送信する。
【０１７０】
全ての第１種類のシステム情報（即ち、複数のタイプ２の端末より送信された第１種類のシステム情報）は、同じ伝送リソースを共有することでき、異なるタイプ２の端末より送信された第１種類のシステム情報は、異なるスクランブリング符号によって区別することができ、即ち、複数のタイプ２の端末より送信された複数の第１種類のシステム情報の間はＣＤＭされるものである。全ての第２種類のシステム情報（即ち、複数のタイプ１の端末より送信された第２種類のシステム情報）は、同じ伝送リソースを共有することができ、異なるタイプ１の端末の第２種類のシステム情報は、異なるスクランブリング符号によって区別することができ、即ち、複数のタイプ１の端末より送信された複数の第２種類のシステム情報の間がＣＤＭされるものである。
【０１７１】
具体的に、第１種類のシステム情報と第２種類のシステム情報との間の多重化は二つの構造があり得る。
【０１７２】
一つ目の構造は、図６と図８に示すように、ここで、第１種類のシステム情報と第２種類のシステム情報とは、異なる時間ドメイン伝送リソースを占用しても良く、即ち、両者がＴＤＭされるものであり、このような状況において、第１種類のシステム情報と第２種類のシステム情報とは、同じのスクランブリング符号によるスクランブリングを使用することができ、システム情報を受信する端末は、時間ドメインリソースの位置によって、受信されたのが第１種類のシステム情報であるか、それとも第２種類のシステム情報であるかを区別することができる。
【０１７３】
二つ目の構造は、図７と図９に示すように、ここで、第１種類のシステム情報と第２種類のシステム情報とは、同じ伝送リソースを共有することができ、即ち、両者がＣＤＭされるものであり、このような状況において、第１種類のシステム情報と第２種類のシステム情報とは、異なるスクランブリング符号によるスクランブリングを使用することができ、システム情報を受信する端末は、スクランブリング符号によって、受信されたのが第１種類のシステム情報であるか、それとも第２種類のシステム情報であるかを区別することができる。
【０１７４】
本発明の実施例において、第１物理制御シグナリング（及び図５内の第３物理制御シグナリング、第５物理制御シグナリング）が、基本的に固定されている時間周波数リソースにおいて、周期的に送信される。選択肢として、該周波数ドメインリソースは、予め構成されるものであっても良く、該時間ドメインリソースの開始位置も予め構成されるものであり、但し時間ドメインの長さが、第１種類のシステム情報によって準静的構成される。第１物理制御シグナリング（及び図５内の第３物理制御シグナリング、第５物理制御シグナリング）において、異なるタイプ１端末（即ち、複数の送信端末２５）のための制御情報の占用される異なる時間周波数リソースは、ＴＤＭ及び／又は周波数分割多重化（Ｆｒｅｑｕｅｎｃｙ  Ｄｉｖｉｓｉｏｎ  Ｍｕｌｔｉｐｌｅｘｅｄ、ＦＤＭ）されるものである。
【０１７５】
本発明の実施例において、アクセスチャネルの占用される時間周波数リソースは、タイプ２の端末（即ち、スケジューリング端末３１）によって、図５内の第３種類のシステム情報において準静的割り当てられたものであり、図８と図９に示されるように、それの周波数ドメイン位置は、Ｓｉｄｅｌｉｎｋ伝送帯域幅の両端であっても良い。
【０１７６】
本発明の実施例において、図８と図９に示されるように、第４物理制御シグナリングの周波数ドメイン位置は、Ｓｉｄｅｌｉｎｋ伝送帯域幅の両端であっても良い。
【０１７７】
本発明の実施例において、図４又は図５内の第３種類のシステム情報の占用される時間周波数リソースは、第１物理制御シグナリングによって動的に割り当てられたものであっても良い。
【０１７８】
本発明の実施例において、第１種類の／第３種類の高レイヤ制御シグナリングの占用される時間周波数リソースは、第３物理制御シグナリングにより動的に割り当てられたものであっても良い。第２種類の／第４種類の高レイヤ制御シグナリングの占用される時間周波数リソースは、第３物理制御シグナリングにより動的に割り当てられたものであっても良い。
【０１７９】
本発明の実施例において、第２物理制御シグナリングの占用される時間周波数リソースは、第１物理制御シグナリングにより動的にスケジューリングされ、又は第２物理制御シグナリングを送信する端末（即ち、送信端末２５）により、Ｓｉｄｅｌｉｎｋリソースプールから自ら選択されるものである。
【０１８０】
本発明の実施例において、Ｓｉｄｅｌｉｎｋデータチャネルの占用される時間周波数リソースは、第１物理制御シグナリングにより、動的にスケジューリングされ、又はＳｉｄｅｌｉｎｋデータチャネルを送信する端末（即ち、送信端末２５）により、Ｓｉｄｅｌｉｎｋリソースプールから自ら選択されるものである。
【０１８１】
図６〜図９を結合して、本発明の実施例において、追加されるＳｉｄｅｌｉｎｋ信号、情報、シグナリングなどの時間周波数の構造に対して設計を行っている。このように、Ｓｉｄｅｌｉｎｋ時間周波数リソースに対して、十分、合理的に使用することができ、リソースの利用率を向上させることができる。
【０１８２】
図１０は、本発明の一つの実施例におけるサイドリンクデータ伝送のための方法のフローチャートである。図１０に示されている方法は、スケジューリング端末により実施され、Ｓ３０１及びＳ３０２を含む。
【０１８３】
Ｓ３０１において、スケジューリング端末は、送信端末に第１物理制御シグナリングを送信し、前記第１物理制御シグナリングが、第１種類のシステム情報を伝送するための第１伝送リソースを含む。
【０１８４】
Ｓ３０２において、前記スケジューリング端末は、前記送信端末に前記第１種類のシステム情報を送信し、前記第１種類のシステム情報は、サイドリンクリソースプール情報を含む。
【０１８５】
ここで、図１０内のＳ３０１は、上記の図４の実施例内のＳ１０５を参照しても良く、図１０内のＳ３０２は、上記の図４の実施例のＳ１０６を参照しても良く、つまり、図１０内の第１種類のシステム情報は、上記の図４内の第３種類のシステム情報に相当する。
【０１８６】
選択肢として、一つの実施例として、Ｓ３０１の前に、前記送信端末に第２種類のシステム情報を送信することを含み、前記送信端末が前記第２伝送リソースに基づいて、前記第１物理制御シグナリングを受信することができるように、前記第２種類のシステム情報が第２伝送リソースを含む。該ステップは、上記の図４又は図５の実施例内のＳ１０３を参照しても良く、つまり、ここでの第２種類のシステム情報は、上記の図４又は図５内の第１種類のシステム情報に相当する。
【０１８７】
選択肢として、もう一つの実施例として、前記送信端末より送信されたサイドリンクリソーススケジューリング要求と前記送信端末のサイドリンクバッファー状態報告とを受信することと、前記サイドリンクリソーススケジューリング要求に基づいて、前記送信端末にサイドリンクリソース割り当て情報を送信することとをさらに含む。具体的に、前記送信端末より送信された第２物理制御シグナリングを受信することができ、前記第２物理制御シグナリングは、前記サイドリンクリソーススケジューリング要求を含み、前記送信端末より送信された第１種類の高レイヤ制御シグナリングを受信し、前記第１種類の高レイヤ制御シグナリングは、前記送信端末のサイドリンクバッファー状態報告を含む。図５の実施例のＳ２１５とＳ２１６とを参照しても良く、つまり、ここでの第２物理制御シグナリングは、上記の図５の第４物理制御シグナリングに相当し、ここでの第１種類の高レイヤ制御シグナリングは、上記の図５の第４種類の高レイヤ制御シグナリングに相当する。それに応じて、送信端末にサイドリンクリソース割り当て情報を送信することは、図５のＳ２１７を参照しても良い。
【０１８８】
選択肢として、もう一つの実施例として、前記送信端末より送信されたサイドリンクリソーススケジューリング要求と前記送信端末のサイドリンクバッファー状態報告とを受信する前に、前記送信端末と既に成功に接続を確立していることを確定することと、前記送信端末に第２種類の高レイヤ制御シグナリングを送信することと、をさらに含み、前記第２種類の高レイヤ制御シグナリングが、前記送信端末の識別子ＩＤを含み、ここで、前記サイドリンクリソーススケジューリング要求と前記送信端末のサイドリンクバッファー状態報告とは、前記送信端末が前記送信端末のＩＤを含む前記第２種類の高レイヤ制御シグナリングを受信した後に送信されたものである。図５の実施例のＳ２１３とＳ２１４とを参照しても良く、つまり、ここでの第２種類の高レイヤ制御シグナリングは、上記の図５の第３種類の高レイヤ制御シグナリングに相当する。
【０１８９】
選択肢として、もう一つの実施例として、前記送信端末と既に成功に接続を確立していることを確定する前に、前記送信端末と接続を確立する過程を実施することをさらに含む。
【０１９０】
ここで、前記送信端末と接続を確立することは、前記送信端末に第３種類のシステム情報を送信することと、前記送信端末より送信されたアクセスチャネルを受信することと、アクセスプリアンブル信号に基づいて、前記送信端末との間の伝送遅延を確定することと、前記送信端末に第３物理制御シグナリングを送信することと、前記送信端末に第３種類の高レイヤ制御シグナリングを送信することと、前記送信端末より送信された第４種類の高レイヤ制御シグナリングを受信することと、前記送信端末と成功に接続を確立したか否かを判断することと、を含み、前記第３種類のシステム情報が、アクセスチャネルのリソース構成情報を含み、前記アクセスチャネルが、アクセスプリアンブル信号を含み、前記第３物理制御シグナリングが、フィードバックリソース構成情報を含み、前記第３種類の高レイヤ制御シグナリングが、第３伝送リソース構成情報と、前記伝送遅延に基づくクロック調整命令とを含み、前記第４種類の高レイヤ制御シグナリングが前記送信端末のＩＤを含む。ここで、前記フィードバックリソース構成情報は、前記送信端末が前記フィードバックリソースにおいて前記第３種類の高レイヤ制御シグナリングを受信するために用いられ、前記第４種類の高レイヤ制御シグナリングは、前記送信端末が前記クロック調整命令に基づいてクロックを調整した後に、前記第３伝送リソースにおいて送信されるものである。図５の実施例のＳ２０６〜Ｓ２１３を参照しても良く、つまり、ここでの第３種類のシステム情報は、上記の図５の第３種類のシステム情報に相当し、ここでの第３物理制御シグナリングは、上記の図５の第３物理制御シグナリングに相当し、ここでの第３種類の高レイヤ制御シグナリングは、上記の図５の第１種類の高レイヤ制御シグナリングに相当し、ここでの第４種類の高レイヤ制御シグナリングは、上記の図５の第２種類の高レイヤ制御シグナリングに相当する。
【０１９１】
選択肢として、もう一つの実施例として、前記送信端末に第１物理制御シグナリングを送信する前に、前記送信端末に同期信号を送信することをさらに含み、前記同期信号が、前記スケジューリング端末の送信クロックと、前記スケジューリング端末のＩＤとを含む。上記の図４又は図５の実施例のＳ１０１を参照しても良く、つまり、ここでの同期信号は、上記の図４又は図５の第１種類の同期信号に相当する。
【０１９２】
本発明の実施例において、アクセスチャネルの占用する周波数ドメイン位置は、サイドリンク伝送帯域幅の両端に位置しても良い。同期信号の占用する周波数ドメイン位置は、サイドリンク伝送帯域幅の中央に位置しても良い。
【０１９３】
図１１は、本発明のもう一つの実施例におけるサイドリンクデータ伝送のための方法のフローチャートである。図１１に示されている方法は送信端末によって実施され、Ｓ４０１〜Ｓ４０３を含む。
【０１９４】
Ｓ４０１において、送信端末は、スケジューリング端末より送信されたサイドリンクリソースの指示情報を受信する。
【０１９５】
Ｓ４０２において、前記送信端末は、前記サイドリンクリソースの指示情報に基づいて、サイドリンクデータを伝送するための第１伝送リソースと伝送パラメータとを確定する。
【０１９６】
Ｓ４０３において、前記送信端末は、前記第１伝送リソースと前記伝送パラメータとを使用し、受信端末に前記サイドリンクデータを送信する。
【０１９７】
ここで、図１１のＳ４０１は、上記の図４の実施例のＳ１０６又は図５の実施例のＳ２１７を参照しても良く、図１１のＳ４０２は、上記の図４の実施例のＳ１０７又は図５の実施例のＳ２１８を参照しても良く、図１１のＳ４０３は、上記の図４又は図５の実施例のＳ１０９を参照しても良く、つまり、図１１の第１伝送リソースは、上記の図４又は図５のＳｉｄｅｌｉｎｋ伝送リソースに相当する。
【０１９８】
そのため、図１１のサイドリンクリソースの指示情報は、Ｓ１０６に含まれるＳｉｄｅｌｉｎｋリソースプール情報であっても良く、又は、Ｓ２１７のＳｉｄｅｌｉｎｋリソース割り当て情報であっても良い。
【０１９９】
選択肢として、一つの実施例として、Ｓ４０３の前に、前記受信端末に第１物理制御シグナリングを送信すること、をさらに含み、前記第１物理制御シグナリングが、前記第１伝送リソースと前記伝送パラメータとを含む。上記の図４又は図５の実施例のＳ１０８を参照しても良く、つまり、ここでの第１物理制御シグナリングは、上記の図４又は図５の第２物理制御シグナリングに相当する。
【０２００】
選択肢として、もう一つの実施例として、前記サイドリンクリソースの指示情報は、サイドリンクリソースプール情報を含み、Ｓ４０２は、前記サイドリンクリソースプール情報から、前記サイドリンクデータを伝送するための前記第１伝送リソースと前記伝送パラメータとを自ら選択することを含むことができる。
【０２０１】
選択肢として、もう一つの実施例として、Ｓ４０１の前に、前記スケジューリング端末より送信された第２伝送リソース構成情報を受信することをさらに含む。それに応じて、Ｓ４０１は、前記第２伝送リソース構成情報に基づいて、前記スケジューリング端末より送信された第１種類のシステム情報を受信することを含むことができ、前記第１種類のシステム情報が、前記サイドリンクリソースプール情報を含む。ここでの第１種類のシステム情報は、上記の図４の第３種類のシステム情報に相当する。
【０２０２】
例えば、前記スケジューリング端末より送信された第２種類のシステム情報を受信することができ、前記第２種類のシステム情報が第３伝送リソース構成情報を含み、前記第３伝送リソース構成情報に基づいて、前記スケジューリング端末より送信された第２物理制御シグナリングを受信し、前記第２物理制御シグナリングが、前記第２伝送リソース構成情報を含む。上記の図４の実施例のＳ１０３とＳ１０５とを参照しても良く、つまり、ここでの第２種類のシステム情報は、上記の図４の第１種類のシステム情報に相当し、ここでの第２物理制御シグナリングは、上記の図４の第１物理制御シグナリングに相当する。
【０２０３】
ここで、前記第２種類のシステム情報は、前記スケジューリング端末が基地局のカバレッジ範囲内にあるか否かに関する情報と、前記スケジューリング端末のシステム構成パラメータとをさらに含む。ここで、前記システム構成パラメータは、送信帯域幅及び／又はマルチアンテナ構成を含む。
【０２０４】
選択肢として、もう一つの実施例として、前記サイドリンクリソースの指示情報は、サイドリンクリソース割り当て情報を含み、Ｓ４０１の前に、前記スケジューリング端末に、サイドリンクリソーススケジューリング要求と、前記送信端末のサイドリンクバッファー状態報告とを送信することをさらに含み、具体的に、前記スケジューリング端末に第３物理制御シグナリングを送信することができ、前記第３物理制御シグナリングは、前記サイドリンクリソーススケジューリング要求を含み、前記スケジューリング端末に第１種類の高レイヤ制御シグナリングを送信し、前記第１種類の高レイヤ制御シグナリングは、前記送信端末のサイドリンクバッファー状態報告を含む。上記の図５の実施例のＳ２１５とＳ２１６を参照しても良く、つまり、ここでの第３物理制御シグナリングは、上記の図５の第４物理制御シグナリングに相当し、ここでの第１種類の高レイヤ制御シグナリングは、上記の図５の第４種類の高レイヤ制御シグナリングに相当する。
【０２０５】
選択肢として、もう一つの実施例として、前記スケジューリング端末に、サイドリンクリソーススケジューリング要求と、前記送信端末のサイドリンクバッファー状態報告とを送信する前に、前記スケジューリング端末より送信された第２種類の高レイヤ制御シグナリングを受信すること、をさらに含むことができ、前記第２種類の高レイヤ制御シグナリングが、既に成功に接続を確立している指示情報と、第４伝送リソース構成情報とを含み、ここで前記指示情報が、前記スケジューリング端末が前記送信端末と既に成功に接続を確立していることを示すために用いられる。上記の図５の実施例のＳ２１４を参照しても良く、つまり、ここでの第２種類の高レイヤ制御シグナリングは、上記の図５の第３種類の高レイヤ制御シグナリングに相当する。
【０２０６】
それに応じて、前記スケジューリング端末に、サイドリンクリソーススケジューリング要求と、前記送信端末のサイドリンクバッファー状態報告とを送信することは、成功に接続を確立したことを確定した後に、前記第４伝送リソース構成情報に基づいて、前記スケジューリング端末に、サイドリンクリソーススケジューリング要求と、前記送信端末のサイドリンクバッファー状態報告とを送信することを含むことができる。
【０２０７】
選択肢として、もう一つの実施例として、前記スケジューリング端末より送信された第２種類の高レイヤ制御シグナリングを受信する前に、前記スケジューリング端末と接続を確立する過程を実施することをさらに含むことができる。
【０２０８】
ここで、前記スケジューリング端末と接続を確立する過程は、前記スケジューリング端末より送信された第３種類のシステム情報を受信すること、を含むことができ、前記第３種類のシステム情報が、アクセスチャネルのリソース構成情報を含み、前記アクセスチャネルのリソース構成情報に基づいて、前記スケジューリング端末にアクセスチャネルを送信し、前記アクセスチャネルが、アクセスプリアンブル信号を含み、前記スケジューリング端末より送信された第４物理制御シグナリングを受信し、前記第４物理制御シグナリングが、フィードバックリソース構成情報を含み、前記フィードバックリソース構成情報に基づいて、前記スケジューリング端末より送信された第３種類の高レイヤ制御シグナリングを受信し、前記第３種類の高レイヤ制御シグナリングは、第５伝送リソース構成情報と、クロック調整命令とを含み、前記クロック調整命令に基づいて、前記送信端末のクロックに対して調整を行い、前記第５伝送リソース構成情報に基づいて、前記スケジューリング端末に第４種類の高レイヤ制御シグナリングを送信し、前記第４種類の高レイヤ制御シグナリングは、前記送信端末の端末ＩＤを含む。上記の図５の実施例のＳ２０６〜Ｓ２１２を参照しても良く、つまり、ここでの第３種類のシステム情報は、図５の第３種類のシステム情報に相当し、ここでの第４物理制御シグナリングは、図５の第３物理制御シグナリングに相当し、ここでの第３種類の高レイヤ制御シグナリングは、図５の第１種類の高レイヤ制御シグナリングに相当し、ここでの第４種類の高レイヤ制御シグナリングは、図５の第２種類の高レイヤ制御シグナリングに相当する。
【０２０９】
前記スケジューリング端末より送信されたサイドリンクリソースの指示情報を受信する前に、前記スケジューリング端末より送信された第２種類のシステム情報を受信すること、をさらに含むことができ、前記第２種類のシステム情報が第３伝送リソース構成情報を含む。それに応じて、前記スケジューリング端末より送信された第３種類のシステム情報を受信することは、前記第３伝送リソース構成情報に基づいて、前記スケジューリング端末より送信された前記第３種類のシステム情報を受信することを含む。上記の図５の実施例のＳ１０５とＳ２０６とを参照しても良い。
【０２１０】
ここで、前記第２種類のシステム情報は、前記スケジューリング端末が基地局のカバレッジ範囲内にあるか否かに関する情報と、前記スケジューリング端末のシステム構成パラメータとを含むことができる。ここで、前記システム構成パラメータは、送信帯域幅及び／又はマルチアンテナ構成を含む。
【０２１１】
選択肢として、もう一つの実施例として、Ｓ４０１の前に、前記受信端末に第４種類のシステム情報を送信することをさらに含み、前記第４種類のシステム情報は、前記送信端末が基地局のカバレッジ範囲内にあるか否かに関する指示情報、前記送信端末が前記スケジューリング端末のカバレッジ範囲内にあるか否かに関する指示情報、及び前記送信端末の送信帯域幅を含む。上記の図４又は図５の実施例のＳ１０４を参照しても良く、つまり、ここでの第４種類のシステム情報は、図４又は図５の第２種類のシステム情報に相当する。
【０２１２】
選択肢として、もう一つの実施例として、Ｓ４０１の前に、前記スケジューリング端末より送信された第１種類の同期信号を受信すること、をさらに含むことができ、前記第１種類の同期信号は、前記スケジューリング端末の送信クロックを含み、前記受信端末に第２種類の同期信号を送信し、前記第２種類の同期信号は、前記送信端末の送信クロックを含む。上記の図４又は図５の実施例のＳ１０１とＳ１０２とを参照しても良い。
【０２１３】
本発明の実施例において、アクセスチャネルの占用する周波数ドメイン位置は、サイドリンク伝送帯域幅の両端に位置しても良い。第１種類の同期信号及び／又は第２種類の同期信号の占用する周波数ドメイン位置は、サイドリンク伝送帯域幅の中央に位置しても良い。
【０２１４】
前記第２種類のシステム情報と前記第４種類のシステム情報とは、異なるサイドリンク時間ドメイン伝送リソースを占用し、時分割多重化されるものである。又は、前記第２種類のシステム情報と前記第４種類のシステム情報とは、同じのサイドリンク伝送リソースを占用し、符号分割多重化されるものである。
【０２１５】
前記第１種類の同期信号と前記第２種類の同期信号とは、異なるサイドリンク時間ドメイン伝送リソースを占用し、時分割多重化されるものである。又は、前記第１種類の同期信号と前記第２種類の同期信号とは、同じのサイドリンク伝送リソースを占用し、符号分割多重化されるものである。
【０２１６】
図１２は、本発明の一つの実施例における端末の構成ブロック図である。図１２に示されている端末１２０は、サイドリンクデータ伝送ためのスケジューリング端末に用いられることが可能であり、送信ユニット１２１、受信ユニット１２２と処理ユニット１２３を含む。
【０２１７】
送信ユニット１２１は、送信端末に第１物理制御シグナリングを送信するように構成され、前記第１物理制御シグナリングは、第１種類のシステム情報を伝送するための第１伝送リソースを含む。送信ユニット１２１は、前記送信端末に前記第１種類のシステム情報を送信するようにさらに構成され、前記第１種類のシステム情報が、サイドリンクリソースプール情報を含む。
【０２１８】
送信ユニット１２１は、上記の方法実施例のＳ１０１、Ｓ１０３、Ｓ１０５、Ｓ１０６、Ｓ２０６、Ｓ２０９、Ｓ２１０、Ｓ２１４とＳ２１７に示されるように、送信端末に情報及びシグナリングなどを送信するように構成される。受信ユニット１２２は、上記の図５の方法実施例のＳ２０７、Ｓ２１２、Ｓ２１５とＳ２１６に示されているように、送信端末より送信されたチャネルとシグナリングなどを受信するように構成される。処理ユニット１２３は、上記の図５の方法実施例のＳ２０８とＳ２１３とに示されるように、確定又は判断などの動作を実施するように構成される。
【０２１９】
なお、本発明の実施例において、送信ユニット１２１は、トランスミッターによって実現されても良く、受信ユニット１２２は、レシーバーによって実現されても良く、処理ユニット１２３は、プロセッサーによって実現されても良い。図１３に示すように、端末１３０は、プロセッサー１３１、レシーバー１３２、トランスミッター１３３と記憶装置１３４を含む。ここで、記憶装置１３４は、上記のシグナリング、情報などを記憶するように構成されることができ、プロセッサー１３１で実行するコード等を記憶するように構成される。
【０２２０】
端末１３０内の各コンポーネントは、バスシステム１３４カによってカップリンブされており、ここでバスシステム１３５は、データバス以外に、電源バス、制御バス及び状態信号バスを含む。
【０２２１】
図１２に示されている端末１３０又は図１３に示されている端末１３０は、上記の図４、図５、図１０と図１１の方法実施例内のスケジューリング端末によって実現する各過程を実現することができ、重複を避けるため、ここで再び説明しない。
【０２２２】
図１４は、本発明の一つの実施例における端末の構成ブロック図である。図１４に示されている端末１４０は、サイドリンクデータ伝送ための送信端末であっても良く送信ユニット１４１、受信ユニット１４２、及び処理ユニット１４３を含む。
【０２２３】
受信ユニット１４２は、スケジューリング端末より送信されたサイドリンクリソースの指示情報を受信するように構成される。処理ユニット１４３は、前記サイドリンクリソースの指示情報に基づいて、サイドリンクデータを伝送するための第１伝送リソースと伝送パラメータとを確定するように構成される。送信ユニット１４１は、前記第１伝送リソースと前記伝送パラメータとを使用し、受信端末に前記サイドリンクデータを送信するように構成される。
【０２２４】
送信ユニット１４１は、上記の方法実施例のＳ２０７、Ｓ２１２、Ｓ２１５とＳ２１６のように、スケジューリング端末に情報とシグナリングなどを送信するように構成される。送信ユニット１４１は、上記の方法実施例のＳ１０２、Ｓ１０４、Ｓ１０８とＳ１０９のように、受信端末に情報とシグナリングなどを送信するように構成される。受信ユニット１４２は、上記の図５に示されている方法実施例のＳ１０１、Ｓ１０３、Ｓ１０５、Ｓ１０６、Ｓ２０６、Ｓ２０９、Ｓ２１０、Ｓ２１４とＳ２１７のように、送信端末より送信されたチャネルとシグナリングなどを受信するように構成される。処理ユニット１４３は、上記の方法実施例のＳ１０７、Ｓ２１１とＳ２１８のように、確定又は調整などの動作を実行するように構成される。
【０２２５】
なお、本発明の実施例において、送信ユニット１４１は、トランスミッターによって実現されても良く、受信ユニット１４２は、レシーバーによって実現されても良く、処理ユニット１４３は、プロセッサーによって実現されても良い。図１５に示すように、端末１５０は、プロセッサー１５１、レシーバー１５２、トランスミッター１５３と記憶装置１５４を含むことができる。ここで、記憶装置１５４は、上記のシグナリング、情報などを記憶するように構成され、プロセッサー１５１で実行するコードなどを記憶するようにさらに構成される。
【０２２６】
端末１５０内の各コンポーネントは、バスシステム１５４によってカップリンブされており、ここで、バスシステム１５５は、データバス以外に、電源バス、制御バス及び状態信号バスを含む。
【０２２７】
図１４に示されている端末１４０又は図１５に示されている端末１５０は、上記の図４、図５、図１０と図１１の方法実施例内のスケジューリング端末によって実現する各過程を実現することができ、重複を避けるため、ここで再び説明しない。
【０２２８】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２２９】
当業者は、説明の便利と簡潔上、上記に記載されているシステム、装置及びユニットの具体的な動作については、上記の方法実施例の対応されているフローを参照することができ、ここでそれ以上述べない。
【０２３０】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２３１】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２３２】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２３３】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２３４】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019507532.tif 000003
【図２】
2019507532.tif 000004
【図３】
2019507532.tif 000005
【図４】
2019507532.tif 000006
【図５】
2019507532.tif 000007
【図６】
2019507532.tif 000008
【図７】
2019507532.tif 000009
【図８】
2019507532.tif 000010
【図９】
2019507532.tif 000011
【図１０】
2019507532.tif 000012
【図１１】
2019507532.tif 000013
【図１２】
2019507532.tif 000014
【図１３】
2019507532.tif 000015
【図１４】
2019507532.tif 000016
【図１５】
2019507532.tif 000017
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
サイドリンクデータ伝送のための方法であって、
スケジューリング端末が、送信端末に第１物理制御シグナリングを送信することと、
前記スケジューリング端末が、前記送信端末に第１種類のシステム情報を送信することと、
を含み、前記第１物理制御シグナリングが、前記第１種類のシステム情報を伝送するための第１伝送リソースを含み、前記第１種類のシステム情報は、サイドリンクリソースプール情報を含む、
ことを特徴とする前記サイドリンクデータ伝送のための方法。
【請求項２】
前記送信端末に第１物理制御シグナリングを送信する前に、
前記送信端末に第２種類のシステム情報を送信することをさらに含み、
前記送信端末が第２伝送リソースに基づいて、前記第１物理制御シグナリングを受信することができるように、前記第２種類のシステム情報が、前記第２伝送リソースを含む、
ことを特徴とする請求項１に記載のサイドリンクデータ伝送のための方法。
【請求項３】
前記送信端末より送信されたサイドリンクリソーススケジューリング要求と前記送信端末のサイドリンクバッファー状態報告とを受信することと、
前記サイドリンクリソーススケジューリング要求に基づいて、前記送信端末にサイドリンクリソース割り当て情報を送信することと、
をさらに含み、
前記送信端末より送信されたサイドリンクリソーススケジューリング要求と前記送信端末のサイドリンクバッファー状態報告とを受信することは、
前記送信端末より送信された第２物理制御シグナリングを受信することと、
前記送信端末より送信された第１種類の高レイヤ制御シグナリングを受信することと、を含み、
前記第２物理制御シグナリングが、前記サイドリンクリソーススケジューリング要求を含み、前記第１種類の高レイヤ制御シグナリングが、前記送信端末のサイドリンクバッファー状態報告を含む、
ことを特徴とする請求項１又は２に記載のサイドリンクデータ伝送のための方法。
【請求項４】
前記送信端末より送信されたサイドリンクリソーススケジューリング要求と前記送信端末のサイドリンクバッファー状態報告とを受信する前に、
前記送信端末と既に成功に接続を確立していることを確定することと、
前記送信端末に第２種類の高レイヤ制御シグナリングを送信することと、
を含み、
ここで、前記サイドリンクリソーススケジューリング要求と前記送信端末のサイドリンクバッファー状態報告とは、前記送信端末が前記送信端末のＩＤを含む前記第２種類の高レイヤ制御シグナリングを受信した後に送信されたものであり、
前記第２種類の高レイヤ制御シグナリングが、前記送信端末の識別子ＩＤを含み、
前記送信端末と既に成功に接続を確立していることを確定する前に、
前記送信端末と接続を確立する過程を実施することをさらに含む、
ことを特徴とする請求項３に記載のサイドリンクデータ伝送のための方法。
【請求項５】
前記送信端末と接続を確立することは、
前記送信端末に第３種類のシステム情報を送信することと、
前記送信端末より送信されたアクセスチャネルを受信することと、
アクセスプリアンブル信号に基づいて、前記送信端末との間の伝送遅延を確定することと、
前記送信端末に第３物理制御シグナリングを送信することと、
前記送信端末に第３種類の高レイヤ制御シグナリングを送信することと、
前記送信端末より送信された第４種類の高レイヤ制御シグナリングを受信することと、
前記送信端末と成功に接続を確立したか否かを判断することと、
を含み、
前記第３種類のシステム情報が、前記アクセスチャネルのリソース構成情報を含み、前記アクセスチャネルが、前記アクセスプリアンブル信号を含み、前記第３物理制御シグナリングが、フィードバックリソース構成情報を含み、前記第３種類の高レイヤ制御シグナリングが、第３伝送リソース構成情報と、前記伝送遅延に基づくクロック調整命令とを含み、前記第４種類の高レイヤ制御シグナリングが前記送信端末のＩＤを含み、
ここで、前記フィードバックリソース構成情報は、前記送信端末が前記フィードバックリソースにおいて前記第３種類の高レイヤ制御シグナリングを受信するために用いられ、前記第４種類の高レイヤ制御シグナリングは、前記送信端末が前記クロック調整命令に基づいてクロックを調整した後に、前記第３伝送リソースにおいて送信されるものである、
ことを特徴とする請求項４に記載のサイドリンクデータ伝送のための方法。
【請求項６】
前記アクセスチャネルの占用する周波数ドメイン位置は、サイドリンク伝送帯域幅の両端に位置する、
ことを特徴とする請求項５に記載のサイドリンクデータ伝送のための方法。
【請求項７】
前記送信端末に第１物理制御シグナリングを送信する前に、
前記送信端末に同期信号を送信することをさらに含み、
前記同期信号が、前記スケジューリング端末の送信クロック、及び前記スケジューリング端末の識別子ＩＤを含む、
ことを特徴とする請求項１〜６のいずれか１項に記載のサイドリンクデータ伝送のための方法。
【請求項８】
前記同期信号の占用する周波数ドメイン位置は、サイドリンク伝送帯域幅の中央に位置する、
ことを特徴とする請求項７に記載のサイドリンクデータ伝送のための方法。
【請求項９】
サイドリンクデータ伝送のための方法であって、
送信端末が、スケジューリング端末より送信されたサイドリンクリソースの指示情報を受信することと、
前記送信端末が、前記サイドリンクリソースの指示情報に基づいて、サイドリンクデータを伝送するための第１伝送リソースと伝送パラメータとを確定することと、
前記送信端末が、前記第１伝送リソースと前記伝送パラメータとを使用し、受信端末に前記サイドリンクデータを送信することと、
を含む、
ことを特徴とする前記サイドリンクデータ伝送のための方法。
【請求項１０】
前記受信端末に前記サイドリンクデータを送信する前に、
前記受信端末に第１物理制御シグナリングを送信することをさらに含み、
前記第１物理制御シグナリングが、前記第１伝送リソースと前記伝送パラメータとを含む、
ことを特徴とする請求項９に記載のサイドリンクデータ伝送のための方法。
【請求項１１】
前記サイドリンクリソースの指示情報は、サイドリンクリソースプール情報を含み、
前記サイドリンクリソースの指示情報に基づいて、サイドリンクデータを伝送するための第１伝送リソースと伝送パラメータとを確定することは、
前記サイドリンクリソースプール情報から、前記サイドリンクデータを伝送するための前記第１伝送リソースと前記伝送パラメータとを自ら選択することを含む、
ことを特徴とする請求項９又は１０に記載のサイドリンクデータ伝送のための方法。
【請求項１２】
前記スケジューリング端末より送信されたサイドリンクリソースの  指示情報を受信する前に、
前記受信端末に第４種類のシステム情報を送信することをさらに含み、
前記第４種類のシステム情報は、前記送信端末が基地局のカバレッジ範囲内にあるか否かに関する指示情報、前記送信端末が前記スケジューリング端末のカバレッジ範囲内にあるか否かに関する指示情報、及び前記送信端末の送信帯域幅を含む、
ことを特徴とする請求項９〜１１のいずれか１項に記載のサイドリンクデータ伝送のための方法。
【請求項１３】
前記スケジューリング端末より送信されたサイドリンクリソースの指示情報を受信する前に、
前記スケジューリング端末より送信された第１種類の同期信号を受信することと、
前記受信端末に第２種類の同期信号を送信することと、
をさらに含み、
前記第１種類の同期信号が、前記スケジューリング端末の送信クロックを含み、前記第２種類の同期信号が、前記送信端末の送信クロックを含む、
ことを特徴とする請求項９〜１２のいずれか１項に記載のサイドリンクデータ伝送のための方法。
【請求項１４】
端末であって、前記端末は、サイドリンクデータ伝送ためのスケジューリング端末であり、
送信端末に第１物理制御シグナリングを送信するように構成される送信ユニットを含み、前記第１物理制御シグナリングが、第１種類のシステム情報を伝送するための第１伝送リソースを含み、
前記送信ユニットは、前記送信端末に前記第１種類のシステム情報を送信するようにさらに構成され、前記第１種類のシステム情報が、サイドリンクリソースプール情報を含む、
ことを特徴とする前記端末。
【請求項１５】
端末であって、前記端末は、サイドリンクデータ伝送のための送信端末であり、
スケジューリング端末より送信されたサイドリンクリソースの指示情報を受信するように構成される受信ユニットと、
前記サイドリンクリソースの指示情報に基づいて、サイドリンクデータを伝送するための第１伝送リソースと伝送パラメータとを確定するように構成される処理ユニットと、
前記第１伝送リソースと前記伝送パラメータとを使用し、受信端末に前記サイドリンクデータを送信する送信ユニットと、
を含むことを特徴とする前記端末。
【国際調査報告】
2019507532.tif 000018
2019507532.tif 000019
2019507532.tif 000020
2019507532.tif 000021